(57)【要約】  本発明によれば、明細書に記載の一般式（１）〜（３）のいずれかで表される化合物を含有する着色組成物、上記着色組成物を含有するインクジェット用インク、及び捺染方法が提供される。【特許請求の範囲】
【請求項１】
下記一般式（１）〜（３）のいずれかで表される化合物Ａと、前記化合物Ａのいずれか１つの水素原子がイオン性親水性基に置き換わった化合物Ｂと、を含有する着色組成物であって、前記化合物Ａと前記化合物Ｂの含有質量比が９９．９９：０．０１から０．０１：９９．９９である着色組成物。
【化１】
2017110388.tif 000093
一般式（１）中、Ｒ１０１及びＲ１０３は各々独立に水素原子、アルキル基、アリール基又はヘテロ環基を表す。Ｒ１０２及びＲ１０４は各々独立にアルキル基、アリール基又はヘテロ環基を表す。Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表す。ｎ１０１、ｎ１０２及びｎ１０３がそれぞれ２以上の整数を表す場合は、複数のＲ１０７、Ｒ１０８及びＲ１０９は同じであっても異なっていてもよい。Ｒ１０７とＲ１０８とが結合して環を形成してもよい。一般式（１）で表される化合物は少なくとも２つのイオン性親水性基を有する。一般式（１）で表される化合物は分子内に対アニオンを有する。
【化２】
2017110388.tif 000094
一般式（２）中、Ｒ１１１及びＲ１１３は各々独立に水素原子、アルキル基、アリール基又はヘテロ環基を表す。Ｒ１１２及びＲ１１４は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７が結合してもよい。Ａｒ１１１及びＡｒ１１２は各々独立にベンゼン環、ナフタレン環、又はヘテロ環を表す。ｎ１１１及びｎ１１２は各々独立に０〜４の整数を表し、ｎ１１３は０〜５の整数を表し、ｎ１１４及びｎ１１５は各々独立に０以上の整数を表す。ｎ１１１、ｎ１１２、ｎ１１３、ｎ１１４及びｎ１１５がそれぞれ２以上の整数を表す場合は、複数のＲ１１５、Ｒ１１６、Ｒ１１７、Ｒ１１８及びＲ１１９は同じであっても異なっていてもよい。一般式（２）で表される化合物は少なくとも２つのイオン性親水性基を有する。一般式（２）で表される化合物は分子内に対アニオンを有する。
【化３】
2017110388.tif 000095
一般式（３）中、Ｌ１２１、Ｌ１２２、Ｌ１２３、Ｌ１２４及びＬ１２５は各々独立に２価の連結基を表し、Ｔ１２１、Ｔ１２２、Ｔ１２３、Ｔ１２４及びＴ１２５は各々独立に水素原子又は下記一般式（Ｔ−１）〜（Ｔ−８）のいずれかで表される基を表す。ただし、Ｔ１２１、Ｔ１２２、Ｔ１２３、Ｔ１２４及びＴ１２５のうち少なくとも１つは一般式（Ｔ−１）〜（Ｔ−８）のいずれかで表される基を表す。Ｒ１２１、Ｒ１２２及びＲ１２３は各々独立に置換基を表し、Ｘ１２１、Ｘ１２２及びＸ１２３は各々独立にＣＨ又は窒素原子を表す。但し、Ｘ１２１〜Ｘ１２３のうち少なくとも１つはＣＨを表す。Ｘ１２１〜Ｘ１２３がＣＨを表す場合、水素原子が外れてＲ１２３又は（Ｌ１２５）ｎ１２８−Ｔ１２５が結合してもよい。ｎ１２１及びｎ１２２は各々独立に０〜４の整数を表し、ｎ１２３は０〜５の整数を表す。ｎ１２４、ｎ１２５、ｎ１２６、ｎ１２７及びｎ１２８は各々独立に０又は１を表す。ｎ１２１、ｎ１２２、及びｎ１２３がそれぞれ２以上の整数を表す場合は、複数のＲ１２１、Ｒ１２２及びＲ１２３は同じであっても異なっていてもよい。Ｒ１２１とＲ１２２とが結合して環を形成してもよい。一般式（３）で表される化合物は少なくとも２つのイオン性親水性基を有する。一般式（３）で表される化合物は分子内に対アニオンを有する。    
【化４】
2017110388.tif 000096
一般式（Ｔ−１）中、Ｒ２０１及びＲ２０２は各々独立にアルキル基を表す。Ｒ２０３は置換基を表す。ｐ１０１は０〜３の整数を表す。ｐ１０１が２以上の整数を表す場合は、複数のＲ２０３は同じであっても異なっていてもよい。
一般式（Ｔ−２）中、Ｒ２０４はアルキル基を表す。Ｒ２０５は水素原子又はアルキル基を表す。Ｒ２０６は置換基を表す。Ｌ２０１はｐ１０３価の連結基を表す。ｐ１０２は０〜２の整数を表し、ｐ１０３は２又は３を表す。ｐ１０２が２以上の整数を表す場合は、複数のＲ２０６は同じであっても異なっていてもよい。
一般式（Ｔ−３）中、Ｒ２０７はアルキル基を表す。Ｒ２０８は水素原子又はアルキル基を表す。Ｒ２０９及びＲ２１０は各々独立に水素原子、アルキル基又はアルコキシ基を表す。Ｒ２１１は置換基を表す。Ｘ２０１は酸素原子又はＮＲ２２０を表し、Ｒ２２０は水素原子又はアルキル基を表す。ただし、Ｘ２０１がＮＨを表す場合、Ｒ２０９及びＲ２１０の少なくとも一方はアルキル基又はアルコキシ基を表す。ｐ１０４は０〜２の整数を表す。ｐ１０４が２を表す場合は、複数のＲ２１１は同じであっても異なっていてもよい。
一般式（Ｔ−４）中、Ｘ２０２は酸素原子又は窒素原子を表す。Ｘ２０３は炭素原子又は窒素原子を表す。Ｘ２０２とＸ２０３間の結合は、Ｘ２０３が炭素原子を表す場合は二重結合、Ｘ２０３が窒素原子を表す場合は単結合を表す。Ｒ２１２はアリール基、ヘテロ環基、又はＸ２０２と連結してヘテロ環基を形成する基を表す。Ｒ２１３は置換基を表す。ｐ１０５は０〜４の整数を表す。ｐ１０５が２以上の整数を表す場合は、複数のＲ２１３は同じであっても異なっていてもよい。
一般式（Ｔ−５）中、Ａｒ２０１はアリール基又はヘテロ環基を表す。ｐ１０６は１〜３の整数を表す。
一般式（Ｔ−６）中、Ｒ２１４は水素原子、＊−Ｏ・、ヒドロキシル基、アルキル基又はアルコキシ基を表す。ただし、＊は結合手を表し、・は不対電子を表す。Ｒ２１５及びＲ２１６は各々独立にアルキル基を表す。Ｒ２１５及びＲ２１６は互いに結合して環を形成してもよい。
一般式（Ｔ−７）中、Ｒ２１７は置換基を表す。ｐ１０７は０〜５の整数を表す。ｐ１０７が２以上の整数を表す場合は、複数のＲ２１７は同じであっても異なっていてもよい。ｐ１０８は２又は３を表す。
一般式（Ｔ−８）中、Ｒ２１８及びＲ２１９は各々独立に水素原子、アルキル基、アリール基又はヘテロ環基を表す。Ｒ２１８及びＲ２１９は互いに結合して環を形成してもよい。
なお、一般式（Ｔ−１）〜（Ｔ−８）のいずれかで表される基は、各々、式中のいずれか１つの水素原子が外れてＬ１２１、Ｌ１２２、Ｌ１２３、Ｌ１２４又はＬ１２５と結合している。ただし、＊１を示してある水素原子は、外れて結合することはなく、一般式（Ｔ−６）におけるＲ２１４は水素原子のとき、外れて結合することはない。
【請求項２】
前記化合物Ａが前記一般式（３）で表される化合物であり、前記一般式（３）中の前記Ｔ１２１、Ｔ１２２、Ｔ１２３、Ｔ１２４及びＴ１２５のうち少なくとも１つが前記一般式（Ｔ−２）、（Ｔ−４）、（Ｔ−５）、（Ｔ−６）又は（Ｔ−８）で表される基を表す請求項１に記載の着色組成物。
【請求項３】
前記化合物Ａが前記一般式（３）で表される化合物であり、前記一般式（３）中の前記Ｔ１２１、Ｔ１２２、Ｔ１２３、Ｔ１２４及びＴ１２５のうち少なくとも１つが前記一般式（Ｔ−４）で表される基であり、前記一般式（Ｔ−４）が下記一般式（Ｔ−４１）、（Ｔ−４２）又は（Ｔ−４３）で表される請求項１又は２に記載の着色組成物。
【化５】
2017110388.tif 000097
一般式（Ｔ−４１）中、Ｒ４０１及びＲ４０２は各々独立に置換基を表す。ｐ４０１は０〜４の整数を表し、ｐ４０２は０〜５の整数を表す。ｐ４０１及びｐ４０２がそれぞれ２以上の整数を表す場合は、複数のＲ４０１及びＲ４０２は同じであっても異なっていてもよい。＊１を示してある水素原子は、外れて結合することはない。
一般式（Ｔ−４２）中、Ｒ４０３及びＲ４０４は各々独立に置換基を表す。ｐ４０３及びｐ４０４は各々独立に０〜４の整数を表す。ｐ４０３及びｐ４０４がそれぞれ２以上の整数を表す場合は、複数のＲ４０３及びＲ４０４は同じであっても異なっていてもよい。＊１を示してある水素原子は、外れて結合することはない。
一般式（Ｔ−４３）中、Ｒ４０５は置換基を表す。Ｒ４０６及びＲ４０７は各々独立にアリール基又はヘテロ環基を表す。ｐ４０５は０〜４の整数を表す。ｐ４０５が２以上の整数を表す場合は、複数のＲ４０５は同じであっても異なっていてもよい。＊１を示してある水素原子は、外れて結合することはない。
【請求項４】
前記化合物Ａが有するイオン性親水性基の数が２つ又は３つである請求項１〜３のいずれか１項に記載の着色組成物。
【請求項５】
前記化合物Ａと前記化合物Ｂの含有質量比が９９：１から１：９９である請求項１〜４のいずれか１項に記載の着色組成物。
【請求項６】
前記化合物Ａ及び前記化合物Ｂが有するイオン性親水性基がカルボキシル基及びスルホ基の少なくとも一方である請求項１〜５のいずれか１項に記載の着色組成物。
【請求項７】
一般式（１）中のＲ１０７及びＲ１０８、一般式（２）中のＲ１１５及びＲ１１６、一般式（３）中のＲ１２１及びＲ１２２が、窒素原子のオルト位に置換する２級又は３級アルキル基である、請求項１〜６のいずれか１項に記載の着色組成物。
【請求項８】
染色用である請求項１〜７のいずれか１項に記載の着色組成物。
【請求項９】
請求項１〜８のいずれか１項に記載の着色組成物を含有するインクジェット用インク。
【請求項１０】
下記（１）〜（４）の工程を含む捺染方法。
（１）  少なくとも高分子化合物及び水を含む液に対し、請求項８に記載の着色組成物を添加し、色糊を調製する工程
（２）  前記（１）の色糊を布帛に印捺する工程
（３）  印捺した布帛に蒸気をあてる工程
（４）  印捺した布帛を水洗し、水洗された布帛を乾燥する工程
【請求項１１】
下記（１１）〜（１４）の工程を含む捺染方法。
（１１）  少なくとも高分子化合物及び水を含む糊を布帛に付与する工程
（１２）  請求項９に記載のインクジェット用インクをインクジェット法により布帛に印捺する工程
（１３）  印捺した布帛に蒸気をあてる工程
（１４）  印捺した布帛を水洗し、水洗された布帛を乾燥する工程
【請求項１２】
前記布帛がポリアミドを含む布帛である請求項１０又は１１に記載の捺染方法。
【発明の詳細な説明】
【技術分野】
【０００１】
本発明は、着色組成物、インクジェット用インク、及び捺染方法に関する。
【背景技術】
【０００２】
トリアリールメタン染料を用いて布帛を染める技術は従来より研究されており、例えば、絹やナイロンなどのポリアミドを染めるときには、Ａｃｉｄ  Ｂｌｕｅ  ７（ＡＢ７）やＡｃｉｄ  Ｂｌｕｅ  ９（ＡＢ９）が使われていた。
これまで、布帛を染めるための工業的染色方法として、スクリーン捺染、ローラー捺染、転写捺染等が行われてきた。これらの方法はデザインパターンの企画、彫刻もしくは製版、捺染糊の作成、生地の準備等、一連の各工程が統合して初めて完成する染色技術である。
これに対し、染料を布に直接供給できるインクジェット方式を用いたインクジェット捺染が提案されている。インクジェット捺染は、従来の捺染とは異なり、版を作製する必要がなく、手早く階調性に優れた画像を形成できる利点を有しており、納期短縮、少量多品種生産対応、製版工程が必要ない等のメリットを備えている。更に、形成画像として必要な量のインクのみを使用するため、従来方法に比較すると廃液が少ない等の環境的利点も有する優れた画像形成方法であるといえる。
一方、特許文献１には、金属原子と結合したヘテロ環を有するトリアリールメタン化合物が記載されており、この化合物を含む着色性組成物を用いて、紙に対してインクジェット方式で印画し、色相、耐光性などについて検討されている。
【先行技術文献】
【特許文献】
【０００３】
【特許文献１】日本国特開２００３−７３３５８号公報
【発明の概要】
【発明が解決しようとする課題】
【０００４】
しかしながら、ＡＢ７やＡＢ９は、耐光性が不十分であるという問題がある。
また、特許文献１に記載されたヘテロ環を有するトリアリールメタン化合物は、耐光性を有するものであるが、特許文献１には、布帛を染色する用途とした場合の課題（特に耐光性）までは検討されていない。
さらに、インクジェット捺染においては、インクジェットプリンターの記録ヘッドのノズルから染料を含むインクを布帛へ吐出させる工程があり、実用を考えると、インクを長期間貯蔵した後も、問題なくインクを吐出できることが望ましく、すなわち貯蔵安定性に優れることが望ましい。【０００５】
本発明の目的は、耐光性に優れ、かつ貯蔵安定性に優れた着色組成物を提供することを目的とする。また、上記着色組成物を含有するインクジェット用インク、及び捺染方法を提供することを目的とする。
【課題を解決するための手段】
【０００６】
本発明の上記課題は、下記手段により解決される。【０００７】
＜１＞
下記一般式（１）〜（３）のいずれかで表される化合物Ａと、上記化合物Ａのいずれか１つの水素原子がイオン性親水性基に置き換わった化合物Ｂと、を含有する着色組成物であって、上記化合物Ａと上記化合物Ｂの含有質量比が９９．９９：０．０１から０．０１：９９．９９である着色組成物。【０００８】
【化１】
2017110388.tif 000002
【０００９】
一般式（１）中、Ｒ１０１及びＲ１０３は各々独立に水素原子、アルキル基、アリール基又はヘテロ環基を表す。Ｒ１０２及びＲ１０４は各々独立にアルキル基、アリール基又はヘテロ環基を表す。Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表す。ｎ１０１、ｎ１０２及びｎ１０３がそれぞれ２以上の整数を表す場合は、複数のＲ１０７、Ｒ１０８及びＲ１０９は同じであっても異なっていてもよい。Ｒ１０７とＲ１０８とが結合して環を形成してもよい。一般式（１）で表される化合物は少なくとも２つのイオン性親水性基を有する。一般式（１）で表される化合物は分子内に対アニオンを有する。【００１０】
【化２】
2017110388.tif 000003
【００１１】
一般式（２）中、Ｒ１１１及びＲ１１３は各々独立に水素原子、アルキル基、アリール基又はヘテロ環基を表す。Ｒ１１２及びＲ１１４は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７が結合してもよい。Ａｒ１１１及びＡｒ１１２は各々独立にベンゼン環、ナフタレン環、又はヘテロ環を表す。ｎ１１１及びｎ１１２は各々独立に０〜４の整数を表し、ｎ１１３は０〜５の整数を表し、ｎ１１４及びｎ１１５は各々独立に０以上の整数を表す。ｎ１１１、ｎ１１２、ｎ１１３、ｎ１１４及びｎ１１５がそれぞれ２以上の整数を表す場合は、複数のＲ１１５、Ｒ１１６、Ｒ１１７、Ｒ１１８及びＲ１１９は同じであっても異なっていてもよい。一般式（２）で表される化合物は少なくとも２つのイオン性親水性基を有する。一般式（２）で表される化合物は分子内に対アニオンを有する。【００１２】
【化３】
2017110388.tif 000004
【００１３】
一般式（３）中、Ｌ１２１、Ｌ１２２、Ｌ１２３、Ｌ１２４及びＬ１２５は各々独立に２価の連結基を表し、Ｔ１２１、Ｔ１２２、Ｔ１２３、Ｔ１２４及びＴ１２５は各々独立に水素原子又は下記一般式（Ｔ−１）〜（Ｔ−８）のいずれかで表される基を表す。ただし、Ｔ１２１、Ｔ１２２、Ｔ１２３、Ｔ１２４及びＴ１２５のうち少なくとも１つは一般式（Ｔ−１）〜（Ｔ−８）のいずれかで表される基を表す。Ｒ１２１、Ｒ１２２及びＲ１２３は各々独立に置換基を表し、Ｘ１２１、Ｘ１２２及びＸ１２３は各々独立にＣＨ又は窒素原子を表す。但し、Ｘ１２１〜Ｘ１２３のうち少なくとも１つはＣＨを表す。Ｘ１２１〜Ｘ１２３がＣＨを表す場合、水素原子が外れてＲ１２３又は（Ｌ１２５）ｎ１２８−Ｔ１２５が結合してもよい。ｎ１２１及びｎ１２２は各々独立に０〜４の整数を表し、ｎ１２３は０〜５の整数を表す。ｎ１２４、ｎ１２５、ｎ１２６、ｎ１２７及びｎ１２８は各々独立に０又は１を表す。ｎ１２１、ｎ１２２、及びｎ１２３がそれぞれ２以上の整数を表す場合は、複数のＲ１２１、Ｒ１２２及びＲ１２３は同じであっても異なっていてもよい。Ｒ１２１とＲ１２２とが結合して環を形成してもよい。一般式（３）で表される化合物は少なくとも２つのイオン性親水性基を有する。一般式（３）で表される化合物は分子内に対アニオンを有する。    【００１４】
【化４】
2017110388.tif 000005
【００１５】
一般式（Ｔ−１）中、Ｒ２０１及びＲ２０２は各々独立にアルキル基を表す。Ｒ２０３は置換基を表す。ｐ１０１は０〜３の整数を表す。ｐ１０１が２以上の整数を表す場合は、複数のＲ２０３は同じであっても異なっていてもよい。
一般式（Ｔ−２）中、Ｒ２０４はアルキル基を表す。Ｒ２０５は水素原子又はアルキル基を表す。Ｒ２０６は置換基を表す。Ｌ２０１はｐ１０３価の連結基を表す。ｐ１０２は０〜２の整数を表し、ｐ１０３は２又は３を表す。ｐ１０２が２以上の整数を表す場合は、複数のＲ２０６は同じであっても異なっていてもよい。
一般式（Ｔ−３）中、Ｒ２０７はアルキル基を表す。Ｒ２０８は水素原子又はアルキル基を表す。Ｒ２０９及びＲ２１０は各々独立に水素原子、アルキル基又はアルコキシ基を表す。Ｒ２１１は置換基を表す。Ｘ２０１は酸素原子又はＮＲ２２０を表し、Ｒ２２０は水素原子又はアルキル基を表す。ただし、Ｘ２０１がＮＨを表す場合、Ｒ２０９及びＲ２１０の少なくとも一方はアルキル基又はアルコキシ基を表す。ｐ１０４は０〜２の整数を表す。ｐ１０４が２を表す場合は、複数のＲ２１１は同じであっても異なっていてもよい。
一般式（Ｔ−４）中、Ｘ２０２は酸素原子又は窒素原子を表す。Ｘ２０３は炭素原子又は窒素原子を表す。Ｘ２０２とＸ２０３間の結合は、Ｘ２０３が炭素原子を表す場合は二重結合、Ｘ２０３が窒素原子を表す場合は単結合を表す。Ｒ２１２はアリール基、ヘテロ環基、又はＸ２０２と連結してヘテロ環基を形成する基を表す。Ｒ２１３は置換基を表す。ｐ１０５は０〜４の整数を表す。ｐ１０５が２以上の整数を表す場合は、複数のＲ２１３は同じであっても異なっていてもよい。
一般式（Ｔ−５）中、Ａｒ２０１はアリール基又はヘテロ環基を表す。ｐ１０６は１〜３の整数を表す。
一般式（Ｔ−６）中、Ｒ２１４は水素原子、＊−Ｏ・、ヒドロキシル基、アルキル基又はアルコキシ基を表す。ただし、＊は結合手を表し、・は不対電子を表す。Ｒ２１５及びＲ２１６は各々独立にアルキル基を表す。Ｒ２１５及びＲ２１６は互いに結合して環を形成してもよい。
一般式（Ｔ−７）中、Ｒ２１７は置換基を表す。ｐ１０７は０〜５の整数を表す。ｐ１０７が２以上の整数を表す場合は、複数のＲ２１７は同じであっても異なっていてもよい。ｐ１０８は２又は３を表す。
一般式（Ｔ−８）中、Ｒ２１８及びＲ２１９は各々独立に水素原子、アルキル基、アリール基又はヘテロ環基を表す。Ｒ２１８及びＲ２１９は互いに結合して環を形成してもよい。
なお、一般式（Ｔ−１）〜（Ｔ−８）のいずれかで表される基は、各々、式中のいずれか１つの水素原子が外れてＬ１２１、Ｌ１２２、Ｌ１２３、Ｌ１２４又はＬ１２５と結合している。ただし、＊１を示してある水素原子は、外れて結合することはなく、一般式（Ｔ−６）におけるＲ２１４は水素原子のとき、外れて結合することはない。
＜２＞
上記化合物Ａが上記一般式（３）で表される化合物であり、上記一般式（３）中の上記Ｔ１２１、Ｔ１２２、Ｔ１２３、Ｔ１２４及びＴ１２５のうち少なくとも１つが上記一般式（Ｔ−２）、（Ｔ−４）、（Ｔ−５）、（Ｔ−６）又は（Ｔ−８）で表される基を表す＜１＞に記載の着色組成物。
＜３＞
上記化合物Ａが上記一般式（３）で表される化合物であり、上記一般式（３）中の上記Ｔ１２１、Ｔ１２２、Ｔ１２３、Ｔ１２４及びＴ１２５のうち少なくとも１つが上記一般式（Ｔ−４）で表される基であり、上記一般式（Ｔ−４）が下記一般式（Ｔ−４１）、（Ｔ−４２）又は（Ｔ−４３）で表される＜１＞又は＜２＞に記載の着色組成物。【００１６】
【化５】
2017110388.tif 000006
【００１７】
一般式（Ｔ−４１）中、Ｒ４０１及びＲ４０２は各々独立に置換基を表す。ｐ４０１は０〜４の整数を表し、ｐ４０２は０〜５の整数を表す。ｐ４０１及びｐ４０２がそれぞれ２以上の整数を表す場合は、複数のＲ４０１及びＲ４０２は同じであっても異なっていてもよい。＊１を示してある水素原子は、外れて結合することはない。
一般式（Ｔ−４２）中、Ｒ４０３及びＲ４０４は各々独立に置換基を表す。ｐ４０３及びｐ４０４は各々独立に０〜４の整数を表す。ｐ４０３及びｐ４０４がそれぞれ２以上の整数を表す場合は、複数のＲ４０３及びＲ４０４は同じであっても異なっていてもよい。＊１を示してある水素原子は、外れて結合することはない。
一般式（Ｔ−４３）中、Ｒ４０５は置換基を表す。Ｒ４０６及びＲ４０７は各々独立にアリール基又はヘテロ環基を表す。ｐ４０５は０〜４の整数を表す。ｐ４０５が２以上の整数を表す場合は、複数のＲ４０５は同じであっても異なっていてもよい。＊１を示してある水素原子は、外れて結合することはない。
＜４＞
上記化合物Ａが有するイオン性親水性基の数が２つ又は３つである＜１＞〜＜３＞のいずれか１項に記載の着色組成物。
＜５＞
上記化合物Ａと上記化合物Ｂの含有質量比が９９：１から１：９９である＜１＞〜＜４＞のいずれか１項に記載の着色組成物。
＜６＞
上記化合物Ａ及び上記化合物Ｂが有するイオン性親水性基がカルボキシル基及びスルホ基の少なくとも一方である＜１＞〜＜５＞のいずれか１項に記載の着色組成物。
＜７＞
一般式（１）中のＲ１０７及びＲ１０８、一般式（２）中のＲ１１５及びＲ１１６、一般式（３）中のＲ１２１及びＲ１２２が、窒素原子のオルト位に置換する２級又は３級アルキル基である、＜１＞〜＜６＞のいずれか１項に記載の着色組成物。
＜８＞
染色用である＜１＞〜＜７＞のいずれか１項に記載の着色組成物。
＜９＞
＜１＞〜＜８＞のいずれか１項に記載の着色組成物を含有するインクジェット用インク。
＜１０＞
下記（１）〜（４）の工程を含む捺染方法。
（１）  少なくとも高分子化合物及び水を含む液に対し、＜８＞に記載の着色組成物を添加し、色糊を調製する工程
（２）  上記（１）の色糊を布帛に印捺する工程
（３）  印捺した布帛に蒸気をあてる工程
（４）  印捺した布帛を水洗し、水洗された布帛を乾燥する工程
＜１１＞
下記（１１）〜（１４）の工程を含む捺染方法。
（１１）  少なくとも高分子化合物及び水を含む糊を布帛に付与する工程
（１２）  ＜９＞に記載のインクジェット用インクをインクジェット法により布帛に印捺する工程
（１３）  印捺した布帛に蒸気をあてる工程
（１４）  印捺した布帛を水洗し、水洗された布帛を乾燥する工程
＜１２＞
上記布帛がポリアミドを含む布帛である＜１０＞又は＜１１＞に記載の捺染方法。
【発明の効果】
【００１８】
本発明によれば、耐光性に優れ、かつ貯蔵安定性に優れた着色組成物を提供することができる。また、上記着色組成物を含有するインクジェット用インク、及び捺染方法を提供することができる。
【発明を実施するための形態】
【００１９】
以下、本発明を詳細に説明する。
まず、本発明における置換基の具体例を、置換基群Ａとして定義する。
【００２０】
（置換基群Ａ）
ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００２１】
ハロゲン原子としては、例えば、フッ素原子、塩素原子、臭素原子、又はヨウ素原子が挙げられる。
【００２２】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。
アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００２３】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００２４】
アルケニル基としては、直鎖、分岐、環状の置換若しくは無置換のアルケニル基が挙げられ、シクロアルケニル基、ビシクロアルケニル基を包含する。
アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００２５】
アルキニル基としては、好ましくは、炭素数２から３０の置換又は無置換のアルキニル基、例えば、エチニル基、プロパルギル基、トリメチルシリルエチニル基等が挙げられる。
【００２６】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００２７】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。非芳香族のヘテロ環基の例としては、モルホリニル基等が挙げられる。
【００２８】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００２９】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００３０】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００３１】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００３２】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００３３】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００３４】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００３５】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００３６】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００３７】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３８】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００３９】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００４０】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００４１】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００４２】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００４３】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００４４】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００４５】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００４６】
アルキル又はアリールスルフィニル基としては、好ましくは、炭素数１から３０の置換又は無置換のアルキルスルフィニル基、炭素数６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００４７】
アルキル又はアリールスルホニル基としては、好ましくは、炭素数１から３０の置換又は無置換のアルキルスルホニル基、炭素数６から３０の置換又は無置換のアリールスルホニル基、例えば、メチルスルホニル基、エチルスルホニル基、フェニルスルホニル基、ｐ−メチルフェニルスルホニル基等が挙げられる。
【００４８】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４９】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００５０】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００５１】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００５２】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ基、ｐ−クロロフェニルアゾ基、５−エチルチオ−１，３，４−チアジアゾール−２−イルアゾ基等が挙げられる。
【００５３】
イミド基としては、好ましくは、Ｎ−スクシンイミド基、Ｎ−フタルイミド基等が挙げられる。
【００５４】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００５５】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００５６】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００５７】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００５８】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５９】
イオン性親水性基としては、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またイオン性親水性基はカチオン又はアニオンを含む状態（「塩の状態」ともいう）であってもよい。たとえば、カルボキシル基、ホスホノ基及びスルホ基は、カチオンを含む状態であってもよく、塩の状態を形成するカチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウムイオン、ナトリウムイオン、カリウムイオン、アンモニウムイオンが好ましく、リチウムイオン又はナトリウムイオンがより好ましい。
【００６０】
なお、本発明においては、化合物が塩である場合は、水溶性インク中では塩はイオンに解離して存在している。
【００６１】
本発明の着色組成物は、一般式（１）〜（３）のいずれかで表される化合物Ａと、化合物Ａのいずれか１つの水素原子がイオン性親水性基に置き換わった化合物Ｂと、を含有する着色組成物であって、化合物Ａと化合物Ｂの含有質量比が９９．９９：０．０１から０．０１：９９．９９である着色組成物である。
本発明の着色組成物を捺染用着色用組成物として用いると、シアンないしブルーに染色された布帛を得ることができる。染色された布帛の着色部は、耐光性の良化が認められた。作用機構は不明だが、一般式（１）又は（２）で表される化合物は、光分解しやすい部位を遮蔽しているために耐光性が良化したものと考察している。また、一般式（３）で表される化合物は、褪色防止部位を染料に対して共有結合連結を介して導入しているために、染料が光褪色せずに染料のすぐ近くに存在する褪色防止部位が機能して、耐光性が良化したものと考察している。
また、化合物Ａと構造が少し異なる化合物Ｂとを混合することで、粘度上昇の抑制ができ、かつ結晶析出の核となりうる染料凝集体のサイズが、化合物を単独で用いたものより小さなサイズに制御できたために、貯蔵安定性が良化したものと考察している。
【００６２】
［化合物Ａ］
本発明の着色組成物は、一般式（１）〜（３）のいずれかで表される化合物Ａを含有する。化合物Ａは、一般式（１）で表される化合物であってもよいし、一般式（２）で表される化合物であってもよいし、一般式（３）で表される化合物であってもよい。
以下、「化合物Ａ」としての一般式（１）で表される化合物、一般式（２）で表される化合物、及び一般式（３）で表される化合物について説明する。
【００６３】
まず、一般式（１）で表される化合物について説明する。
【００６４】
【化６】
2017110388.tif 000007
【００６５】
一般式（１）中、Ｒ１０１及びＲ１０３は各々独立に水素原子、アルキル基、アリール基又はヘテロ環基を表す。Ｒ１０２及びＲ１０４は各々独立にアルキル基、アリール基又はヘテロ環基を表す。Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表す。ｎ１０１、ｎ１０２及びｎ１０３がそれぞれ２以上の整数を表す場合は、複数のＲ１０７、Ｒ１０８及びＲ１０９は同じであっても異なっていてもよい。Ｒ１０７とＲ１０８とが結合して環を形成してもよい。一般式（１）で表される化合物は少なくとも２つのイオン性親水性基を有する。一般式（１）で表される化合物は分子内に対アニオンを有する。
【００６６】
一般式（１）中のＲ１０１、Ｒ１０２、Ｒ１０３及びＲ１０４がアルキル基、アリール基又はヘテロ環基を表す場合、これらは置換基を有していてもよい。
Ｒ１０５及びＲ１０６がアルキル基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基又はイミド基を表す場合、これらは置換基を有していてもよい。
各基が置換基を有する場合の置換基としては上記置換基群Ａから選ばれる置換基が挙げられる。
【００６７】
Ｒ１０１及びＲ１０３は、水素原子、置換基を有していてもよいアルキル基、又は置換基を有していてもよいアリール基が好ましい。
Ｒ１０２及びＲ１０４は、置換基を有していてもよいアルキル基、又は置換基を有していてもよいアリール基が好ましく、置換基を有しているアルキル基、又は置換基を有していてもよいアリール基がより好ましい。
【００６８】
Ｒ１０１、Ｒ１０２、Ｒ１０３及びＲ１０４のアルキル基としては、炭素数１〜６のアルキル基が好ましく、炭素数１〜３のアルキル基がより好ましく、メチル基又はエチル基が更に好ましい。Ｒ１０２及びＲ１０４がアルキル基のときは、フェニル基が置換したメチル基が最も好ましい。フェニル基が置換したメチル基は更に置換基を有していてもよい。
【００６９】
Ｒ１０１、Ｒ１０２、Ｒ１０３及びＲ１０４のアリール基としては、フェニル基又はナフチル基が好ましく、フェニル基がより好ましい。Ｒ１０２及びＲ１０４がアリール基を表す場合、Ｒ１０１及びＲ１０３は水素原子を表すことが好ましい。
【００７０】
Ｒ１０５及びＲ１０６は、好ましくは、ハロゲン原子、置換基を有していてもよいアルキル基、置換基を有していてもよいアルコキシ基、置換基を有していてもよいアシルオキシ基、置換基を有していてもよいスルファモイル基、置換基を有していてもよいアシル基、置換基を有していてもよいアルコキシカルボニル基又はスルホ基を表す。
Ｒ１０５及びＲ１０６は、より好ましくは、置換基を有していてもよいアルキル基、又はハロゲン原子であり、ハロゲン原子としては塩素原子が好ましい。
【００７１】
Ｒ１０７、Ｒ１０８及びＲ１０９が表す置換基としては、上記置換基群Ａから選ばれる置換基が挙げられ、好ましくはアルキル基、スルホ基、シアノ基、ニトロ基、置換基を有してもよいスルファモイル基、ハロゲン原子、置換基を有してもよいアルコキシ基、置換基を有してもよいアリールオキシ基、置換基を有してもよいヘテロ環オキシ基、置換基を有してもよいアシルオキシ基、置換基を有してもよいアルキルアミノ基、置換基を有してもよいアリールアミノ基、置換基を有してもよいヘテロ環アミノ基、置換基を有してもよいアシルアミノ基、置換基を有してもよいアミノカルボニルアミノ基、置換基を有してもよいアルコキシカルボニルアミノ基、置換基を有してもよいアリールオキシカルボニルアミノ基、置換基を有してもよいアルキル又はアリールスルホニルアミノ基であり、好ましくは、アルキル基、スルホ基、置換基を有してもよいアルキルアミノ基、置換基を有していてもよいアリールアミノ基である。
Ｒ１０７、Ｒ１０８及びＲ１０９が表すアルキル基としては、炭素数１〜１０のアルキル基が好ましく、炭素数１〜６のアルキル基がより好ましく、メチル基、エチル基、イソプロピル基又はｔｅｒｔ−ブチル基が更に好ましい。耐光性の観点で、メチル基よりもエチル基、エチル基よりもイソプロピル基又はｔｅｒｔ−ブチル基がより好ましい。
特に、Ｒ１０７及びＲ１０８が窒素原子のオルト位に置換する、２級アルキル基又は３級アルキル基であることが好ましい。
【００７２】
Ｒ１０７とＲ１０８は結合して環を形成してもよいが、貯蔵安定性の観点からはＲ１０７とＲ１０８は結合しない方が好ましい。
【００７３】
ｎ１０１及びｎ１０２は好ましくは０〜２の整数を表す。ｎ１０３は好ましくは０又は１を表す。
【００７４】
Ｘ１０１、Ｘ１０２及びＸ１０３は各々独立にＣＨ又は窒素原子を表し、ＣＨを表すことが好ましい。Ｘ１０１、Ｘ１０２及びＸ１０３がＣＨを表す場合、水素原子が外れて置換基Ｒ１０９が結合していてもよい。
【００７５】
一般式（１）で表される化合物は少なくとも２つのイオン性親水性基を有する。一般式（１）で表される化合物は少なくとも２つのイオン性親水性基を有することで、インク貯蔵安定性および繊維への染色性という観点から好ましい。上記イオン性親水性基としては、アニオン性のイオン性親水性基（解離した場合にアニオンを生じるイオン性親水性基）であることが好ましく、スルホ基、カルボキシル基、チオカルボキシル基、スルフィノ基、ホスホノ基、ジヒドロキシホスフィノ基などが挙げられ、特に好ましくはスルホ基、又はカルボキシル基であり、最も好ましくはスルホ基である。
一般式（１）で表される化合物が有するイオン性親水性基の数は、２〜６であることが好ましく、２〜４であることがより好ましく、２又は３であることが特に好ましい。
【００７６】
一般式（１）で表される化合物は分子内に対アニオンを有する。一般式（１）が有するイオン性親水性基がアニオン性のイオン性親水性基であり、そのアニオン性のイオン性親水性基の１つが解離して生じたアニオンが上記対アニオンであることが好ましい。上記対アニオンは、スルホ基が解離して生じたスルホナト基（−ＳＯ３−）であることが特に好ましい。
なお、一般にトリフェニルメタン化合物は、イオン性の化合物であり共鳴構造をとるので、例えば化合物００１−１においては、下記（Ａ）〜（Ｃ）は同じ化合物を表す。
【００７７】
【化７】
2017110388.tif 000008
【００７８】
一般式（１）は、下記一般式（１−１）又は（１−２）で表されることが好ましく、一般式（１−２）で表されることがより好ましい。
【００７９】
【化８】
2017110388.tif 000009
【００８０】
一般式（１−１）中、Ｒ１０１及びＲ１０３は各々独立に水素原子、アルキル基、アリール基又はヘテロ環基を表す。Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０２ａ、Ｒ１０４ａ、Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表し、ｎ１０４及びｎ１０５は各々独立に０〜５の整数を表す。一般式（１−１）中の水素原子が外れて置換基が結合していてもよい。ｎ１０１、ｎ１０２、ｎ１０３、ｎ１０４及びｎ１０５がそれぞれ２以上の整数を表す場合は、複数のＲ１０７、Ｒ１０８、Ｒ１０９、Ｒ１０２ａ及びＲ１０４ａは同じであっても異なっていてもよい。一般式（１−１）で表される化合物は少なくとも２つのイオン性親水性基を有する。一般式（１−１）で表される化合物は対アニオンを有する。
【００８１】
【化９】
2017110388.tif 000010
【００８２】
一般式（１−２）中、Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１２及びＲ１１４は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０２ｂ、Ｒ１０４ｂ、Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表す。ｎ１０４及びｎ１０５は各々独立に０〜５の整数を表す。一般式（１−２）中の水素原子が外れて置換基が結合していてもよい。ｎ１０１、ｎ１０２、ｎ１０３、ｎ１０４及びｎ１０５がそれぞれ２以上の整数を表す場合は、複数のＲ１０７、Ｒ１０８、Ｒ１０９、Ｒ１０２ｂ及びＲ１０４ｂは同じであっても異なっていてもよい。一般式（１−２）で表される化合物は少なくとも２つのイオン性親水性基を有する。一般式（１−２）で表される化合物は対アニオンを有する。
【００８３】
一般式（１−１）中、Ｒ１０１及びＲ１０３の具体例及び好ましい範囲は、一般式（１）におけるＲ１０１及びＲ１０３と同じである。
一般式（１−１）及び（１−２）中、Ｒ１０５、Ｒ１０６、Ｒ１０７、Ｒ１０８及びＲ１０９の具体例及び好ましい範囲は、一般式（１）におけるＲ１０５、Ｒ１０６、Ｒ１０７、Ｒ１０８及びＲ１０９と同じである。
一般式（１−１）及び（１−２）中、Ｘ１０１、Ｘ１０２、Ｘ１０３、ｎ１０１、ｎ１０２及びｎ１０３の好ましい範囲は、一般式（１）におけるＸ１０１、Ｘ１０２、Ｘ１０３、ｎ１０１、ｎ１０２及びｎ１０３と同じである。
一般式（１−１）及び（１−２）中、Ｒ１０２ａ、Ｒ１０４ａ、Ｒ１０２ｂ、及びＲ１０４ｂの具体例及び好ましい範囲は、Ｒ１０７、Ｒ１０８及びＲ１０９と同じである。
一般式（１−２）中、Ｒ１１２及びＲ１１４の具体例及び好ましい範囲は、後述する一般式（２）におけるＲ１１２及びＲ１１４と同じである。
一般式（１−１）及び（１−２）中、ｎ１０４及びｎ１０５は好ましくは１〜３を表す。
一般式（１−１）又は（１−２）で表される化合物は少なくとも２つのイオン性親水性基を有するが、イオン性親水性基の具体例及び好ましい範囲は一般式（１）において説明したものと同じである。
【００８４】
次に、一般式（２）で表される化合物について説明する。
【００８５】
【化１０】
2017110388.tif 000011
【００８６】
一般式（２）中、Ｒ１１１及びＲ１１３は各々独立に水素原子、アルキル基、アリール基又はヘテロ環基を表す。Ｒ１１２及びＲ１１４は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７が結合してもよい。Ａｒ１１１及びＡｒ１１２は各々独立にベンゼン環、ナフタレン環、又はヘテロ環を表す。ｎ１１１及びｎ１１２は各々独立に０〜４の整数を表し、ｎ１１３は０〜５の整数を表し、ｎ１１４及びｎ１１５は各々独立に０以上の整数を表す。ｎ１１１、ｎ１１２、ｎ１１３、ｎ１１４及びｎ１１５がそれぞれ２以上の整数を表す場合は、複数のＲ１１５、Ｒ１１６、Ｒ１１７、Ｒ１１８及びＲ１１９は同じであっても異なっていてもよい。一般式（２）で表される化合物は少なくとも２つのイオン性親水性基を有する。一般式（２）で表される化合物は分子内に対アニオンを有する。
【００８７】
Ｒ１１１及びＲ１１３がアルキル基、アリール基又はヘテロ環基を表す場合、これらは置換基を有していてもよい。
Ｒ１１２及びＲ１１４がアルキル基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基又はイミド基を表す場合、これらは置換基を有していてもよい。
各基が置換基を有する場合の置換基としては上記置換基群Ａから選ばれる置換基が挙げられる。
【００８８】
Ｒ１１１及びＲ１１３は、水素原子、置換基を有していてもよいアルキル基が好ましく、水素原子がより好ましい。
【００８９】
Ｒ１１２及びＲ１１４は、ハロゲン原子、置換基を有していてもよいアルキル基、置換基を有していてもよいアルコキシ基、置換基を有していてもよいアシルオキシ基、置換基を有していてもよいスルファモイル基、置換基を有していてもよいアシル基、置換基を有していてもよいアルコキシカルボニル基、カルバモイル基、又はスルホ基が好ましく、置換基を有していてもよいアルキル基、又はハロゲン原子がより好ましい。ハロゲン原子としては、塩素原子が好ましい。
【００９０】
Ｒ１１１、Ｒ１１２、Ｒ１１３及びＲ１１４のアルキル基としては、炭素数１〜６のアルキル基が好ましく、炭素数１〜３のアルキル基がより好ましく、メチル基又はエチル基が更に好ましく、メチル基が特に好ましい。
【００９１】
Ｒ１１５、Ｒ１１６、Ｒ１１７、Ｒ１１８及びＲ１１９が表す置換基としては、上記置換基群Ａから選ばれる置換基が挙げられ、アルキル基、スルホ基、シアノ基、ニトロ基、置換基を有してもよいスルファモイル基、ハロゲン原子、置換基を有してもよいアルコキシ基、置換基を有してもよいアリールオキシ基、置換基を有してもよいヘテロ環オキシ基、置換基を有してもよいアシルオキシ基、置換基を有してもよいアミノ基、置換基を有してもよいアルキルアミノ基、又は置換基を有してもよいアリールアミノ基、置換基を有してもよいヘテロ環アミノ基、置換基を有してもよいアシルアミノ基、置換基を有してもよいアミノカルボニルアミノ基、置換基を有してもよいアルコキシカルボニルアミノ基、置換基を有してもよいアリールオキシカルボニルアミノ基、置換基を有してもよいアルキル又はアリールスルホニルアミノ基、置換基を有してもよいアルキルチオ基、置換基を有してもよいアルキルスルホニル基、置換基を有してもよいアルキルアミノカルボニル基が好ましく、好ましくはアルキル基、スルホ基、置換基を有してもよいアルキルアミノ基、又は置換基を有してもよいアリールアミノ基である。上記アルキルアミノ基及びアリールアミノ基が置換基を有する場合の置換基としては、上記置換基群Ａから選ばれる置換基が挙げられ、アルキル基、ハロゲン原子、アルコキシカルボニル基、スルホ基が好ましい。
Ｒ１１５、Ｒ１１６、Ｒ１１７、Ｒ１１８及びＲ１１９が表すアルキル基としては、炭素数１〜１０のアルキル基が好ましく、炭素数１〜６のアルキル基がより好ましく、メチル基、エチル基、イソプロピル基又はｔｅｒｔ−ブチル基が更に好ましい。耐光性の観点で、メチル基よりもエチル基、エチル基よりもイソプロピル基又はｔｅｒｔ−ブチル基がより好ましい。
Ｒ１１５及びＲ１１６の芳香環上の置換位置としては、窒素原子からみてオルト位が好ましい。特に、Ｒ１１５及びＲ１１６が窒素原子のオルト位に置換する、２級アルキル基又は３級アルキル基であることが好ましい。
【００９２】
Ａｒ１１１及びＡｒ１１２は、ベンゼン環、ナフタレン環が好ましく、ベンゼン環がより好ましい。
【００９３】
ｎ１１１及びｎ１１２は好ましくは０〜２の整数を表す。ｎ１１３は好ましくは０〜３の整数を表す。ｎ１１４及びｎ１１５は好ましくは０〜５の整数を表す。
【００９４】
Ｘ１１１、Ｘ１１２及びＸ１１３は各々独立にＣＨ又は窒素原子を表し、ＣＨを表すことが好ましい。Ｘ１１１、Ｘ１１２及びＸ１１３がＣＨを表す場合、水素原子が外れて置換基Ｒ１１７が結合していてもよい。
一般式（２）は、下記一般式（２−１）又は（２−２）で表されることが好ましく、一般式（２−２）で表されることがより好ましい。
【００９５】
【化１１】
2017110388.tif 000012
【００９６】
一般式（２−１）中、Ｒ１１２ａ、Ｒ１１２ｂ、Ｒ１１４ａ及びＲ１１４ｂは各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７が結合してもよい。ｎ１１１及びｎ１１２は各々独立に０〜４の整数を表し、ｎ１１３は０〜５の整数を表し、ｎ１１６及びｎ１１７は各々独立に０〜３の整数を表す。一般式（２−１）中の水素原子が外れて置換基が結合していてもよい。ｎ１１１、ｎ１１２、ｎ１１３、ｎ１１６及びｎ１１７がそれぞれ２以上の整数を表す場合は、複数のＲ１１５、Ｒ１１６、Ｒ１１７、Ｒ１１８及びＲ１１９は同じであっても異なっていてもよい。一般式（２−１）で表される化合物は少なくとも２つのイオン性親水性基を有する。一般式（２−１）で表される化合物は分子内に対アニオンを有する。
【００９７】
一般式（２−１）中、Ｒ１１２ａ、Ｒ１１２ｂ、Ｒ１１４ａ及びＲ１１４ｂの具体例及び好ましい範囲は、一般式（２）におけるＲ１１２及びＲ１１４と同じである。
一般式（２−１）中、Ｒ１１５、Ｒ１１６、Ｒ１１７、Ｒ１１８、Ｒ１１９の具体例及び好ましい範囲は、一般式（２）中のＲ１１５、Ｒ１１６、Ｒ１１７、Ｒ１１８、Ｒ１１９と同じである。
一般式（２−１）中、Ｒ１１８及びＲ１１９の芳香環上の置換位置としては、窒素原子からみてパラ位が好ましい。
一般式（２−１）中、Ｘ１１１、Ｘ１１２、Ｘ１１３、ｎ１１１、ｎ１１２、及びｎ１１３の好ましい範囲は、一般式（２）におけるＸ１１１、Ｘ１１２、Ｘ１１３、ｎ１１１、ｎ１１２、及びｎ１１３と同じである。
ｎ１１６及びｎ１１７は好ましくは０〜２の整数を表す。
【００９８】
【化１２】
2017110388.tif 000013
【００９９】
一般式（２−２）中、Ｒ１１２ａ、Ｒ１１２ｂ、Ｒ１１４ａ、Ｒ１１４ｂ、Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７ａ、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７ａが結合してもよい。ｎ１１１及びｎ１１２は各々独立に０〜４の整数を表し、ｎ１１６、ｎ１１７及びｎ１１８は各々独立に０〜３の整数を表す。一般式（２−２）中の水素原子が外れて置換基が結合していてもよい。ｎ１１１、ｎ１１２、ｎ１１６、ｎ１１７及びｎ１１８がそれぞれ２以上の整数を表す場合は、複数のＲ１１５、Ｒ１１６、Ｒ１１８、Ｒ１１９及びＲ１１７ａは同じであっても異なっていてもよい。一般式（２−２）で表される化合物は少なくとも２つのイオン性親水性基を有する。一般式（２−２）で表される化合物は分子内に対アニオンを有する。
【０１００】
一般式（２−２）中、Ｒ１１２ａ、Ｒ１１２ｂ、Ｒ１１４ａ及びＲ１１４ｂの具体例及び好ましい範囲は、一般式（２）におけるＲ１１２及びＲ１１４と同じである。
一般式（２−２）中、Ｒ１１５、Ｒ１１６、Ｒ１１７ａ、Ｒ１１８、Ｒ１１９の具体例及び好ましい範囲は、一般式（２）中のＲ１１５、Ｒ１１６、Ｒ１１７、Ｒ１１８、Ｒ１１９と同じである。
一般式（２−２）中、Ｒ１１８及びＲ１１９の芳香環上の置換位置としては、窒素原子からみてパラ位が好ましい。
一般式（２−２）中、Ｘ１１１、Ｘ１１２、Ｘ１１３、ｎ１１１、及びｎ１１２の好ましい範囲は、一般式（２）におけるＸ１１１、Ｘ１１２、Ｘ１１３、ｎ１１１、及びｎ１１２と同じである。
ｎ１１６及びｎ１１７は好ましくは０〜２の整数を表す。ｎ１１８は好ましくは０又は１を表す。
一般式（２）、（２−１）又は（２−２）で表される化合物は少なくとも２つのイオン性親水性基を有するが、イオン性親水性基の数の好ましい範囲、並びに、具体例及び好ましい範囲は一般式（１）において説明したものと同じである。
【０１０１】
次に、一般式（３）で表される化合物について説明する。
【０１０２】
【化１３】
2017110388.tif 000014
【０１０３】
一般式（３）中、Ｌ１２１、Ｌ１２２、Ｌ１２３、Ｌ１２４及びＬ１２５は各々独立に２価の連結基を表し、Ｔ１２１、Ｔ１２２、Ｔ１２３、Ｔ１２４及びＴ１２５は各々独立に水素原子又は下記一般式（Ｔ−１）〜（Ｔ−８）のいずれかで表される基を表す。ただし、Ｔ１２１、Ｔ１２２、Ｔ１２３、Ｔ１２４及びＴ１２５のうち少なくとも１つは一般式（Ｔ−１）〜（Ｔ−８）のいずれかで表される基を表す。Ｒ１２１、Ｒ１２２及びＲ１２３は各々独立に置換基を表し、Ｘ１２１、Ｘ１２２及びＸ１２３は各々独立にＣＨ又は窒素原子を表す。但し、Ｘ１２１〜Ｘ１２３のうち少なくとも１つはＣＨを表す。Ｘ１２１〜Ｘ１２３がＣＨを表す場合、水素原子が外れてＲ１２３又は（Ｌ１２５）ｎ１２８−Ｔ１２５が結合してもよい。ｎ１２１及びｎ１２２は各々独立に０〜４の整数を表し、ｎ１２３は０〜５の整数を表す。ｎ１２４、ｎ１２５、ｎ１２６、ｎ１２７及びｎ１２８は各々独立に０又は１を表す。ｎ１２１、ｎ１２２、及びｎ１２３がそれぞれ２以上の整数を表す場合は、複数のＲ１２１、Ｒ１２２及びＲ１２３は同じであっても異なっていてもよい。Ｒ１２１とＲ１２２とが結合して環を形成してもよい。一般式（３）で表される化合物は少なくとも２つのイオン性親水性基を有する。一般式（３）で表される化合物は分子内に対アニオンを有する。
【０１０４】
【化１４】
2017110388.tif 000015
【０１０５】
一般式（Ｔ−１）中、Ｒ２０１及びＲ２０２は各々独立にアルキル基を表す。Ｒ２０３は置換基を表す。ｐ１０１は０〜３の整数を表す。ｐ１０１が２以上の整数を表す場合は、複数のＲ２０３は同じであっても異なっていてもよい。
一般式（Ｔ−２）中、Ｒ２０４はアルキル基を表す。Ｒ２０５は水素原子又はアルキル基を表す。Ｒ２０６は置換基を表す。Ｌ２０１はｐ１０３価の連結基を表す。ｐ１０２は０〜２の整数を表し、ｐ１０３は２又は３を表す。ｐ１０２が２以上の整数を表す場合は、複数のＲ２０６は同じであっても異なっていてもよい。
一般式（Ｔ−３）中、Ｒ２０７はアルキル基を表す。Ｒ２０８は水素原子又はアルキル基を表す。Ｒ２０９及びＲ２１０は各々独立に水素原子、アルキル基又はアルコキシ基を表す。Ｒ２１１は置換基を表す。Ｘ２０１は酸素原子又はＮＲ２２０を表し、Ｒ２２０は水素原子又はアルキル基を表す。ただし、Ｘ２０１がＮＨを表す場合、Ｒ２０９及びＲ２１０の少なくとも一方はアルキル基又はアルコキシ基を表す。ｐ１０４は０〜２の整数を表す。ｐ１０４が２を表す場合は、複数のＲ２１１は同じであっても異なっていてもよい。
一般式（Ｔ−４）中、Ｘ２０２は酸素原子又は窒素原子を表す。Ｘ２０３は炭素原子又は窒素原子を表す。Ｘ２０２とＸ２０３間の結合は、Ｘ２０３が炭素原子を表す場合は二重結合、Ｘ２０３が窒素原子を表す場合は単結合を表す。Ｒ２１２はアリール基、ヘテロ環基、又はＸ２０２と連結してヘテロ環基を形成する基を表す。Ｒ２１３は置換基を表す。ｐ１０５は０〜４の整数を表す。ｐ１０５が２以上の整数を表す場合は、複数のＲ２１３は同じであっても異なっていてもよい。
一般式（Ｔ−５）中、Ａｒ２０１はアリール基又はヘテロ環基を表す。ｐ１０６は１〜３の整数を表す。
一般式（Ｔ−６）中、Ｒ２１４は水素原子、＊−Ｏ・、ヒドロキシル基、アルキル基又はアルコキシ基を表す。ただし、＊は結合手を表し、・は不対電子を表す。Ｒ２１５及びＲ２１６は各々独立にアルキル基を表す。Ｒ２１５及びＲ２１６は互いに結合して環を形成してもよい。
一般式（Ｔ−７）中、Ｒ２１７は置換基を表す。ｐ１０７は０〜５の整数を表す。ｐ１０７が２以上の整数を表す場合は、複数のＲ２１７は同じであっても異なっていてもよい。ｐ１０８は２又は３を表す。
一般式（Ｔ−８）中、Ｒ２１８及びＲ２１９は各々独立に水素原子、アルキル基、アリール基又はヘテロ環基を表す。Ｒ２１８及びＲ２１９は互いに結合して環を形成してもよい。
なお、一般式（Ｔ−１）〜（Ｔ−８）のいずれかで表される基は、各々、式中のいずれか１つの水素原子が外れてＬ１２１、Ｌ１２２、Ｌ１２３、Ｌ１２４又はＬ１２５と結合している。ただし、＊１を示してある水素原子は、外れて結合することはなく、一般式（Ｔ−６）におけるＲ２１４は水素原子のとき、外れて結合することはない。
【０１０６】
Ｌ１２１、Ｌ１２２、Ｌ１２３、Ｌ１２４及びＬ１２５が表す２価の連結基としては、具体的には、アルキレン基、アリーレン基、ヘテリル基（芳香族ヘテロ環基）、エーテル結合（−Ｏ−）、−ＮＨ−、チオエーテル結合（−Ｓ−）、カルボニル基、スルホニル基、及びこれらの少なくとも２つを組み合わせた２価の連結基が挙げられる。これらの連結基は、置換基を有していてもよい。各基が置換基を有する場合の置換基としては上記置換基群Ａから選ばれる置換基が挙げられる。
【０１０７】
Ｔ１２１、Ｔ１２２、Ｔ１２３、Ｔ１２４及びＴ１２５のうち、いずれか１〜４つが一般式（Ｔ−１）〜（Ｔ−８）のいずれかで表される基であることが好ましく、いずれか１〜３つが一般式（Ｔ−１）〜（Ｔ−８）のいずれかで表される基であることがより好ましく、いずれか１〜２つが一般式（Ｔ−１）〜（Ｔ−８）のいずれかで表される基であることが更に好ましい。一般式（Ｔ−１）〜（Ｔ−８）のいずれかで表される基が多いほど、耐光性、耐塩素性に対しては効果が得られる傾向がある。
【０１０８】
Ｒ１２１、Ｒ１２２及びＲ１２３が表す置換基としては、上記置換基群Ａから選ばれる置換基が挙げられ、アルキル基、スルホ基、置換基を有してもよいスルファモイル基、ハロゲン原子、置換基を有してもよいアルコキシ基、置換基を有してもよいアリールオキシ基、置換基を有してもよいヘテロ環オキシ基、置換基を有してもよいアシルオキシ基、置換基を有してもよいアルキルアミノ基、又は置換基を有してもよいアリールアミノ基、置換基を有してもよいヘテロ環アミノ基、置換基を有してもよいアシルアミノ基、置換基を有してもよいアミノカルボニルアミノ基、置換基を有してもよいアルコキシカルボニルアミノ基、置換基を有してもよいアリールオキシカルボニルアミノ基、置換基を有してもよいアルキル又はアリールスルホニルアミノ基が好ましい。好ましくはアルキル基、スルホ基、置換基を有してもよいアルキルアミノ基、又は置換基を有してもよいアリールアミノ基である。
Ｒ１２１、Ｒ１２２及びＲ１２３がアルキル基を表す場合、炭素数１〜１０のアルキル基が好ましく、炭素数１〜６のアルキル基がより好ましく、メチル基、エチル基、イソプロピル基又はｔｅｒｔ−ブチル基が更に好ましい。耐光性の観点で、メチル基よりもエチル基、エチル基よりもイソプロピル基又はｔｅｒｔ−ブチル基がより好ましい。
特に、Ｒ１２１、及びＲ１２２が窒素原子のオルト位に置換する、２級アルキル基又は３級アルキル基であることが好ましい。
Ｒ１２１とＲ１２２は結合して環を形成してもよいが、貯蔵安定性の観点からはＲ１２１とＲ１２２は結合しない方が好ましい。
【０１０９】
ｎ１２１及びｎ１２２は好ましくは０〜２の整数を表す。ｎ１２３は好ましくは０〜３の整数を表す。
ｎ１２４、ｎ１２５、ｎ１２６、ｎ１２７及びｎ１２８は各々独立に０又は１を表す。一般式（Ｔ−１）〜（Ｔ−８）のいずれかで表される基は、各々、式中のいずれか１つの水素原子が外れてＬ１２１、Ｌ１２２、Ｌ１２３、Ｌ１２４又はＬ１２５と結合している。ただし、ｎ１２４、ｎ１２５、ｎ１２６、ｎ１２７及びｎ１２８が０を表す場合は、一般式（Ｔ−１）〜（Ｔ−８）のいずれかで表される基は、窒素原子と結合する。
【０１１０】
Ｘ１２１、Ｘ１２２及びＸ１２３は各々独立にＣＨ又は窒素原子を表し、ＣＨを表すことが好ましい。Ｘ１２１、Ｘ１２２及びＸ１２３がＣＨを表す場合、水素原子が外れて置換基が結合していてもよく、置換基としては、−（Ｌ１２５）ｎ１２８−Ｔ１２５又はＲ１２３が挙げられる。
一般式（３）で表される化合物は少なくとも２つのイオン性親水性基を有するが、イオン性親水性基の数の好ましい範囲、並びに、具体例及び好ましい範囲は一般式（１）において説明したものと同じである。
【０１１１】
一般式（Ｔ−１）〜（Ｔ−３）において、Ｒ２０１、Ｒ２０２、Ｒ２０４、Ｒ２０５、Ｒ２０７及びＲ２０８がアルキル基を表す場合、アルキル基は置換基を有していてもよい。
Ｒ２０９及びＲ２１０がアルキル基又はアルコキシ基を表す場合、これらは置換基を有していてもよい。
各基が置換基を有する場合の置換基としては上記置換基群Ａから選ばれる置換基が挙げられる。
【０１１２】
Ｘ２０１は酸素原子又はＮＲ２２０を表し、Ｒ２２０は水素原子又は置換基を有していてもよいアルキル基を表す。Ｒ２２０のアルキル基としては、炭素数１〜６のアルキル基が好ましく、炭素数１〜４のアルキル基がより好ましく、具体的にはメチル基、エチル基、プロピル基などが挙げられる。
Ｒ２０１、Ｒ２０２、Ｒ２０４、Ｒ２０５、Ｒ２０９及びＲ２１０のアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
ただし、Ｘ２０１が、ＮＨのとき、Ｒ２０９及びＲ２１０の少なくとも一方はアルキル基又はアルコキシ基を表す。
Ｒ２０７及びＲ２０８のアルキル基としては、炭素数１〜１０のアルキル基が好ましく、炭素数１〜６のアルキル基がより好ましく、メチル基、エチル基、プロピル基、ブチル基、イソブチル基、ヘキシル基が更に好ましい。
Ｒ２０９及びＲ２１０のアルコキシ基としては、炭素数１〜６のアルコキシ基が好ましく、炭素数１〜３のアルコキシ基がより好ましく、メトキシ基、エトキシ基が更に好ましい。
【０１１３】
Ｌ２０１の２価の連結基としては、Ｌ１２１、Ｌ１２３、Ｌ１２３、Ｌ１２４及びＬ１２５と同様である。３価の連結基としては、トリアジン連結基、シアヌル酸連結基が挙げられる。Ｌ２０１は２価の連結基を表すことが好ましい。
Ｒ２０３、Ｒ２０６及びＲ２１１が表す置換基としては上記置換基群Ａから選ばれる置換基が挙げられる。
ｐ１０１は０〜３の整数を表し、好ましくは０又は１を表す。ｐ１０２及びｐ１０４は０〜２の整数を表し、好ましくは０又は１を表す。
一般式（Ｔ−１）及び（Ｔ−３）が連結するときの好ましい形態を以下に示す。＊を介してＬ１２１、Ｌ１２２、Ｌ１２３、Ｌ１２４又はＬ１２５と結合することを意味する。
【０１１４】
【化１５】
2017110388.tif 000016
【０１１５】
一般式（Ｔ−４）において、Ｒ２１２のアリール基、ヘテロ環基、Ｘ２０２と連結して形成するアリール基又はヘテロ環基は、置換基を有していてもよい。
各基が置換基を有する場合の置換基としては上記置換基群Ａから選ばれる置換基が挙げられる。
Ｒ２１２はアリール基を表すことが好ましい。Ｒ２１２のアリール基としては、フェニル基、ナフチル基が挙げられ、フェニル基が好ましい。
Ｒ２１２はＸ２０２と連結してヘテロ環基を形成することも好ましい。形成される環の例としては、ベンゾトリアゾール環、トリアゾール環、トリアジン環、ピリミジン環が挙げられる。
Ｒ２１３の置換基としては、置換基群Ａから選ばれる置換基が挙げられる。ｐ１０５は０〜４の整数を表し、好ましくは０〜２の整数を表す。
【０１１６】
一般式（Ｔ−４）は下記一般式（Ｔ−４１）、（Ｔ−４２）又は（Ｔ−４３）で表されることが好ましい。ただし、＊１を示してある水素原子は、外れてＬ１２１、Ｌ１２２、Ｌ１２３、Ｌ１２４又はＬ１２５と結合することはない。
【０１１７】
【化１６】
2017110388.tif 000017
【０１１８】
一般式（Ｔ−４１）中、Ｒ４０１及びＲ４０２は各々独立に置換基を表す。ｐ４０１は０〜４の整数を表し、ｐ４０２は０〜５の整数を表す。ｐ４０１及びｐ４０２がそれぞれ２以上の整数を表す場合は、複数のＲ４０１及びＲ４０２は同じであっても異なっていてもよい。＊１を示してある水素原子は、外れて結合することはない。
一般式（Ｔ−４２）中、Ｒ４０３及びＲ４０４は各々独立に置換基を表す。ｐ４０３及びｐ４０４は各々独立に０〜４の整数を表す。ｐ４０３及びｐ４０４がそれぞれ２以上の整数を表す場合は、複数のＲ４０３及びＲ４０４は同じであっても異なっていてもよい。＊１を示してある水素原子は、外れて結合することはない。
一般式（Ｔ−４３）中、Ｒ４０５は置換基を表す。Ｒ４０６及びＲ４０７は各々独立にアリール基又はヘテロ環基を表す。ｐ４０５は０〜４の整数を表す。ｐ４０５が２以上の整数を表す場合は、複数のＲ４０５は同じであっても異なっていてもよい。＊１を示してある水素原子は、外れて結合することはない。
【０１１９】
Ｒ４０１、Ｒ４０２、Ｒ４０３、Ｒ４０４及びＲ４０５は各々独立に置換基を表す。置換基としては上記置換基群Ａから選ばれる置換基が挙げられる。
Ｒ４０６及びＲ４０７は各々独立にアリール基又はヘテロ環基を表す。Ｒ４０６及びＲ４０７は好ましくはフェニル基である。
ｐ４０１、ｐ４０３、ｐ４０４及びｐ４０５は好ましくは０〜２の整数を表す。ｐ４０２は好ましくは０〜２の整数を表す。
【０１２０】
一般式（Ｔ−４）が連結するときの好ましい形態を以下に示す。＊を介してＬ１２１、Ｌ１２２、Ｌ１２３、Ｌ１２４又はＬ１２５と結合することを意味する。
【０１２１】
【化１７】
2017110388.tif 000018
【０１２２】
Ｒ４０６ａ及びＲ４０７ａは各々独立に置換基を表す。Ｒ４０６ａ及びＲ４０７ａの好ましい範囲は、Ｒ４０５と同じである。ｐ４０６及びｐ４０７は各々独立に０〜５の整数を表す。ｐ４０６及びｐ４０７がそれぞれ２以上の整数を表す場合は、複数のＲ４０６ａ及びＲ４０７ａは同じであっても異なっていてもよい。
【０１２３】
一般式（Ｔ−５）において、Ａｒ２０１で表されるアリール基又はヘテロ環基は置換基を有していてもよい。各基が置換基を有する場合の置換基としては上記置換基群Ａから選ばれる置換基が挙げられる。
Ａｒ２０１はアリール基を表すことが好ましい。Ａｒ２０１のアリール基としては、フェニル基、ナフチル基が挙げられ、フェニル基が好ましい。
ｐ１０６は１〜３の整数を表し、好ましくは１又は２を表す。
一般式（Ｔ−５）が連結するときの好ましい形態を以下に示す。＊を介してＬ１２１、Ｌ１２２、Ｌ１２３、Ｌ１２４又はＬ１２５と結合することを意味する。
【０１２４】
【化１８】
2017110388.tif 000019
【０１２５】
一般式（Ｔ−６）において、Ｒ２１４のアルキル基、アルコキシ基、及びＲ２１５のアルキル基は、置換基を有していてもよい。各基が置換基を有する場合の置換基としては上記置換基群Ａから選ばれる置換基が挙げられる。
Ｒ２１４は、水素原子、アルキル基が好ましい。Ｒ２１４のアルキル基としては、炭素数１〜６のアルキル基が好ましく、炭素数１〜４がより好ましく、メチル基、エチル基、プロピル基、ブチル基が更に好ましい。
Ｒ２１５及びＲ２１６のアルキル基としては、分岐状のアルキル基であることが好ましく、炭素数３〜１０の２級アルキル基、又は炭素数４〜１０の３級アルキル基がより好ましい。２級アルキル基は、具体的には、イソプロピル基、ｓ−ブチル基、シクロヘキシル基などが挙げられる。３級アルキル基は、具体的には、ｔｅｒｔ−ブチル基、ｔｅｒｔ−アミル基などが挙げられる。Ｒ２１５及びＲ２１６は互いに結合して環を形成してもよい。環を形成する場合、形成される環の炭素数は２〜２０が好ましく、２〜１０がより好ましい。形成される環の例としては、アジリジン環、ピペリジン環、ピロリジン環などが挙げられる。中でも、Ｒ２１５及びＲ２１６が３級アルキルを表し、Ｒ２１５及びＲ２１６が互いに結合してピペリジン環を形成している態様が好ましい。
一般式（Ｔ−６）は下記一般式（Ｔ−６１）で表されることが好ましい。
【０１２６】
【化１９】
2017110388.tif 000020
【０１２７】
一般式（Ｔ−６）が連結するときの好ましい形態を以下に示す。＊を介してＬ１２１、Ｌ１２２、Ｌ１２３、Ｌ１２４又はＬ１２５と結合することを意味する。
【０１２８】
【化２０】
2017110388.tif 000021
【０１２９】
一般式（Ｔ−７）において、Ｒ２１７の置換基としては上記置換基群Ａから選ばれる置換基が挙げられる。
ｐ１０７は０〜４の整数を表し、好ましくは０〜２の整数を表す。ｐ１０８は２又は３を表す。
【０１３０】
一般式（Ｔ−８）において、Ｒ２１８及びＲ２１９のアルキル基、アリール基、ヘテロ環基は置換基を有していてもよい。
Ｒ２１８及びＲ２１９は、水素原子、アルキル基又はアリール基を表すことが好ましい。Ｒ２１８及びＲ２１９のアルキル基としては、炭素数１〜６のアルキル基が好ましく、炭素数１〜４がより好ましく、メチル基、エチル基、プロピル基、ブチル基が更に好ましい。Ｒ２１８及びＲ２１９のアリール基としては、フェニル基、ナフチル基が挙げられ、フェニル基が好ましい。
Ｒ２１８及びＲ２１９は互いに結合して環を形成してもよく、この場合の環には窒素原子などのヘテロ原子を含んでいてもよい。
【０１３１】
一般式（Ｔ−８）が連結するときの好ましい形態を以下に示す。＊を介してＬ１２１、Ｌ１２２、Ｌ１２３、Ｌ１２４又はＬ１２５と結合することを意味する。
【０１３２】
【化２１】
2017110388.tif 000022
【０１３３】
化合物Ａは、一般式（３）で表される化合物であることが好ましい。
化合物Ａは、一般式（３）で表され、かつ一般式（３）中のＴ１２１、Ｔ１２２、Ｔ１２３、Ｔ１２４及びＴ１２５のうち少なくとも１つが一般式（Ｔ−２）、（Ｔ−４）、（Ｔ−５）、（Ｔ−６）又は（Ｔ−８）で表される基を表す化合物であることがより好ましい。
化合物Ａは、一般式（３）で表され、一般式（３）中のＴ１２１、Ｔ１２２、Ｔ１２３、Ｔ１２４及びＴ１２５のうち少なくとも１つが一般式（Ｔ−４）で表される基を表す化合物であることが更に好ましい。
化合物Ａは、一般式（３）で表され、一般式（３）中のＴ１２１、Ｔ１２２、Ｔ１２３、Ｔ１２４及びＴ１２５のうち少なくとも１つが一般式（Ｔ−４１）、（Ｔ−４２）又は（Ｔ−４３）で表される基を表す化合物であることが特に好ましい。
【０１３４】
以下、一般式（１）〜（３）のいずれかで表される化合物の具体例を示す。但し、本発明において、一般式（１）〜（３）のいずれかで表される化合物は、これら具体例に制限されるものではない。Ｍｅはメチル基を表し、Ｅｔはエチル基を表し、ｔＢｕはｔｅｒｔ−ブチル基を表し、Ｐｈはフェニル基を表す。なお、各化合物が有するスルホ基の数を「スルホ基数」として示した。
【０１３５】
【化２２】
2017110388.tif 000023
2017110388.tif 000024
2017110388.tif 000025
2017110388.tif 000026
【０１３６】
【化２３】
2017110388.tif 000027
2017110388.tif 000028
2017110388.tif 000029
2017110388.tif 000030
【０１３７】
【化２４】
2017110388.tif 000031
2017110388.tif 000032
2017110388.tif 000033
2017110388.tif 000034
【０１３８】
【化２５】
2017110388.tif 000035
2017110388.tif 000036
2017110388.tif 000037
2017110388.tif 000038
【０１３９】
【化２６】
2017110388.tif 000039
【０１４０】
【化２７】
2017110388.tif 000040
2017110388.tif 000041
2017110388.tif 000042
2017110388.tif 000043
【０１４１】
【化２８】
2017110388.tif 000044
2017110388.tif 000045
2017110388.tif 000046
2017110388.tif 000047
【０１４２】
【化２９】
2017110388.tif 000048
2017110388.tif 000049
2017110388.tif 000050
2017110388.tif 000051
【０１４３】
【化３０】
2017110388.tif 000052
2017110388.tif 000053
2017110388.tif 000054
2017110388.tif 000055
【０１４４】
【化３１】
2017110388.tif 000056
2017110388.tif 000057
2017110388.tif 000058
2017110388.tif 000059
【０１４５】
【化３２】
2017110388.tif 000060
2017110388.tif 000061
2017110388.tif 000062
2017110388.tif 000063
【０１４６】
【化３３】
2017110388.tif 000064
2017110388.tif 000065
2017110388.tif 000066
2017110388.tif 000067
【０１４７】
【化３４】
2017110388.tif 000068
2017110388.tif 000069
2017110388.tif 000070
2017110388.tif 000071
【０１４８】
【化３５】
2017110388.tif 000072
2017110388.tif 000073
2017110388.tif 000074
【０１４９】
［化合物Ｂ］
本発明の着色組成物は、上記化合物Ａのいずれか１つの水素原子がイオン性親水性基に置き換わった化合物Ｂを含有する。
化合物Ｂの具体例としては、上記化合物Ａの具体例として挙げたものと同様の化合物、及び上記化合物Ａの具体例の化合物中のいずれか１つの水素原子がイオン性親水性基に置き換わった化合物を挙げることができる。
なお、化合物Ｂも上記一般式（１）〜（３）のいずれかで表される化合物である。
【０１５０】
〔合成方法〕
一般式（１）〜（３）のいずれかで表される化合物の合成方法につき説明する。
従来公知のトリアリールメタン染料の合成法に準じて合成できる。例えば、２当量のアニリン誘導体と１当量のベンズアルデヒド誘導体を縮合反応し、その後、酸化することで、一般式（１）〜（２）の化合物を得ることができる。一般式（３）で表される化合物に関しては、予め置換基を導入したアニリン誘導体及び／又はベンズアルデヒド誘導体を縮合して同様に合成してもよいし、公知の合成法でトリアリールメタン化合物を合成した後に、付加反応などにより置換基を導入してもよい。後者の場合は市販のトリアリールメタン化合物を使用してもよい。
一般式（１）〜（３）で表される化合物の製造方法は、公知の製造方法で合成することができるため、上記の方法になんら限定されるわけではない。
【０１５１】
一般式（１）で表される化合物の一般的合成方法
【０１５２】
【化３６】
2017110388.tif 000075
【０１５３】
上記式中の各記号は前述のものと同様である。
【０１５４】
一般式（２）で表される化合物の一般的合成方法
【０１５５】
【化３７】
2017110388.tif 000076
【０１５６】
上記式中の各記号は前述のものと同様である。
【０１５７】
トリアリールメタン染料へのスルホ基の導入方法について説明する。
トリアリールメタン染料へのスルホ基の例としては、下記（１）〜（３）の方法が挙げられる。（１）〜（３）の方法は組み合わせて用いてもよい。
（１）予めスルホ化された原料を用いて、トリアリールメタン骨格を合成する方法
（２）トリアリールメタン染料にスルホ化剤を反応させ、スルホ化する方法
（３）スルホ基をもつ原料を、トリアリールメタン染料と反応させ導入する方法
（２）の方法について説明する。
スルホ化剤としては、濃硫酸、発煙硫酸、アミド硫酸などを単独もしくは組み合わせて用いることができる。用いるスルホ化剤種、その使用量、反応温度、反応時間を適切に制御することで、異なる数のスルホ基を導入することができる。
【０１５８】
［化合物Ａと化合物Ｂの含有質量比］
本発明の着色組成物中の化合物Ａと化合物Ｂとの含有質量比は、化合物Ａ：化合物Ｂが９９．９９：０．０１から０．０１：９９．９９であり、好ましくは９９：１から１：９９である。
また、本発明の着色組成物において、化合物Ｂが化合物Ａよりも多く含まれることも好ましい。本発明の着色組成物に用いる溶剤に対する溶解性は、化合物Ｂの方が化合物Ａに比べ高いことから、化合物Ｂが化合物Ａに比べ多く含まれる着色組成物の方が貯蔵安定性に優れる。
【０１５９】
本発明の着色組成物の調製方法を説明する。
本発明の着色組成物は化合物Ａと化合物Ｂと溶媒等を混合することで調整できる。混合方法としては、混合順序などは特に限定されない。例えば（ｉ）〜（ｉｖ）の混合方法が挙げられる。
（ｉ）化合物Ａと化合物Ｂの混合物に対して、溶剤等を加える。
（ｉｉ）化合物Ａを含む着色組成物と化合物Ｂとを混合し、さらに任意で溶剤等を加える。
（ｉｉｉ）化合物Ａと化合物Ｂを含む着色組成物とを混合し、さらに任意で溶剤等を加える。
（ｉｖ）化合物Ａを含む着色組成物と化合物Ｂを含む着色組成物とを混合し、さらに任意で溶剤等を加える。
【０１６０】
本発明の着色組成物は、着色剤として、一般式（１）〜（３）のいずれかで表される化合物のみを含有するものであってもよいが、本発明の効果を損なわない範囲で、更に、他の着色剤を含有していてもよい。併用してもよい着色剤としては、公知のものが挙げられ、例えば、染色ノート（株式会社  色染社発行の第２４版  以下同様）３３頁〜１２１頁の染料、１２４頁〜１３０頁の顔料などが挙げられる。
【０１６１】
着色組成物中の一般式（１）〜（３）のいずれかで表される化合物の含有量（化合物Ａと化合物Ｂの合計の含有量）は、１〜２０質量％であることが好ましく、１〜１０質量％がより好ましい。着色組成物中に含まれる一般式（１）〜（３）のいずれかで表される化合物の含有量を１質量％以上にすることで、印刷したときの記録媒体上におけるインクの印画濃度を良好にでき、かつ必要とされる画像濃度を確保できる。また、着色組成物中に含まれる一般式（１）〜（３）のいずれかで表される化合物の合計量を２０質量％以下にすることで、インクジェット方法に用いた場合に着色組成物の吐出性を良好にでき、しかもインクジェットノズルが目詰まりしにくい等の効果が得られる。
【０１６２】
本発明における着色組成物は、一般式（１）〜（３）のいずれかで表される化合物以外に、溶媒を含有することが一般的である。溶媒の種類や量は、一般式（１）〜（３）のいずれかで表される化合物の種類、染める濃度や、染色方法によって異なるが、着色組成物の全量に対して、溶媒を４０質量％以上含有することが好ましい。溶媒としては、水を含むことが好ましく、溶媒全量に対して、水を５０質量％以上含むことが好ましい。また、着色組成物の全量に対して、水を３０質量％以上含有することが好ましい。
【０１６３】
本発明の着色組成物を印刷するための記録媒体としては、各種の布帛の他、紙、インク受容層などが塗工された塗工紙、プラスチックフィルムなどがあり、それぞれの記録媒体に対してインクジェット記録を行うに適したインクの開発も行われている。
本発明の着色組成物は、布帛に染色するための着色組成物（捺染用着色組成物）、紙に印画するインクジェット記録用インク、カラートナー、カラーフィルター用レジストなどに使用することができるが、特に、布帛に染色するための着色組成物として適する。
【０１６４】
〔染色用着色組成物、及び染色方法〕
本発明の染色用着色組成物は、繊維を染めるための着色組成物であることが好ましい。繊維の染色法は浸染法と捺染法に大別される。浸染とは、染料を溶媒に溶解又は分散した染料液に被染布又は被染糸を浸漬し、繊維表面に均一に吸着させ、染料を繊維内部に拡散し、結合によって染着を行う工程である。捺染とは、染料や顔料を被染布上に塗布して模様の形を与え、染顔料を染着又は固着させることによって模様のある染色物をつくる染色法であり、単色又は多色を用いて被染布の上に模様効果を発現する。工業的には版を用いるスクリーン捺染、ローラー捺染、転写紙を用いる転写捺染、無製版のインクジェット捺染が行われている。
【０１６５】
〔〔浸染用着色組成物、及びそれを用いた方法〕〕
浸染は、染料液に布帛又は糸を浸漬して染料を染着させる工程と、繊維に染着しない未固着の染料を洗い流す洗浄工程と、乾燥工程からなる。本発明の着色組成物を浸染で用いる場合には、上記着色組成物は、布帛又は糸を浸漬できる染色液として用いる。この場合、染色液としては、染料以外に、溶媒、均捺助剤、ｐＨ調整剤、無機中性塩、分散剤などを含有することができる。溶媒としては一般的に、水が用いられる。均捺助剤などの添加剤としては公知のものを使用できる。染料を高濃度で、均一に染めるには、添加剤使用する以外には、染料濃度、染浴ｐＨ、塩濃度、染色温度、染色時間、圧力、液流を制御することで調整できる。
洗浄工程では、一般に、常温から１００℃の範囲の水若しくは温水を使用する。洗浄する水は、ソーピング剤を含有してもよい。未固着の色材が完全に除去されていることで、種々の耐水性、例えば、洗濯堅牢性、耐汗堅牢性等において良好な結果が得られる。
乾燥工程では、具体的には、洗浄した布帛を絞ったり脱水した後、干したりあるいは乾燥機、ヒートロール、アイロン等を使用して乾燥させる。
【０１６６】
〔〔スクリーン捺染、ローラー捺染、転写捺染用着色組成物、及びそれを用いた捺染方法〕〕
本発明の着色組成物をスクリーン捺染、ローラー捺染、又は転写捺染で用いる場合には、上記着色組成物は、版又は転写紙を介して布帛に印捺する色糊として用いる。
本発明の捺染方法は、少なくとも以下の下記（１）〜（４）の工程を含むことが好ましい。
（１）少なくとも高分子化合物及び水を含む液に対し、本発明の染色用着色組成物を添加し、色糊を調製する工程
（２）上記（１）の色糊を布帛に印捺する工程
（３）印捺した布帛に蒸気をあてる工程
（４）印捺した布帛を水洗し、水洗された布帛を乾燥する工程
色糊は、版に印捺するのに適した印捺適正と染着、水洗処理など捺染物に必要な捺染適正を満たすことが好ましい。
そのため、印捺適正、捺染適性を付与する目的で、色糊は、染料以外に、糊剤、溶媒、染色助剤などを含有することができる。
糊剤としては、着色組成物の媒体となるもので、水溶性高分子が用いられることが好ましい。水溶性高分子としては、デンプン類、海藻類、天然ガム類、セルロース誘導体、アルギン酸ナトリウム、タンパク質物質、タンニン系物質、リグニン系物質等の公知の天然水溶性高分子が挙げられる。また、ポリビニルアルコール系化合物、ポリエチレンオキサイド系化合物、アクリル酸系水性高分子、スチレン系水性高分子、無水マレイン酸系水性高分子等の公知の合成高分子も糊剤として用いられる。
溶媒としては、水溶性溶媒が好ましく用いられ、水を少なくとも含む溶媒を使用することが最も好ましい。
染色助剤としては、酸やアルカリなどの発色剤、染料溶解剤、湿潤剤、吸湿剤、濃染剤、還元防止剤、金属イオン封止剤、紫外線吸収剤、分散剤、防染剤、抜染剤、防腐剤、防黴剤、酸化防止剤、マイグレーション防止剤、染料固着剤、消泡剤などが挙げられる。
色糊を調製する工程では、糊を溶媒に溶解又は分散した糊溶液に染色助剤を添加し、これに染料を溶媒に溶解又は分散した染料液を添加攪拌して色糊を調製することが好ましい。
【０１６７】
捺染方法では、浸染方法と異なり、布帛に上記色糊を印捺した（色糊を布帛に印捺する工程）後、布帛に印捺された色材を繊維に染着させる処理を行う。これを発色工程といい、加熱空気を用いる方法、常圧飽和蒸気、過熱蒸気を用いる方法があり、常圧飽和蒸気を用いる方法が好ましい。本発明では、印捺した布帛に蒸気をあてる工程を行うことが好ましい。印捺した布帛に蒸気をあてる工程において、蒸気で処理する温度、時間は、着色組成物の種類や布帛の種類によって異なるが、温度は９０℃〜１４０℃が好ましく、１００℃〜１０８℃がより好ましい。時間は１〜６０分が好ましく、１〜３０分がより好ましい。印捺した布帛に蒸気をあてる工程の後は、浸染と同様の、洗浄工程、乾燥工程を経て、捺染物を得る。本発明においては布帛はポリアミドを含むことが好ましい。
【０１６８】
〔〔インクジェット捺染用着色組成物、及びそれを用いた方法〕〕
本発明の着色組成物をインクジェット捺染で用いる場合には、上記着色組成物は、インクジェット捺染用インクとして用いることが好ましい。
「インクジェット用インク」はインクジェットノズルからインクを吐出して画像を形成する機構をもつ印刷機(インクジェットプリンタ)等に用いるインクである。インクジェット用インクの中でも、インクジェットを用いた捺染に用いるインクをインクジェット捺染用インクと呼ぶ。
本発明のインクジェット捺染方法は、下記（１１）〜（１４）の工程を含むことが好ましい。
（１１）少なくとも高分子化合物及び水を含む糊を布帛に付与する工程
（１２）本発明のインクジェット用インクをインクジェット法により布帛に印捺する工程
（１３）印捺した布帛に蒸気をあてる工程
（１４）印捺した布帛を水洗、乾燥する工程
インクジェット捺染方法は、従来の捺染方法で使用している色糊を使用するとノズルの目詰まりを起こす傾向があるため、予め布帛に糊を付与しておく前処理工程（少なくとも高分子化合物及び水を含む糊を布帛に付与する工程）を行うことが好ましい。前処理工程を施すことで、布帛の取り扱いも容易になる。具体的には、糊剤、溶媒及びヒドロトロピー剤を含有する糊溶液を布帛に付着し、乾燥することで前処理した布帛が得られる。本発明においては布帛はポリアミドを含むことが好ましい。
糊剤としては、スクリーン捺染等で使用する糊剤と同様のものを使用することができる。溶媒としては、水溶性溶媒が好ましく用いられ、水を少なくとも含む溶媒を使用することが最も好ましい。
ヒドロトロピー剤は、一般に、インク組成物が付与された布帛が蒸気下で加熱される際に、画像の発色濃度を高める役割を果たす。例えば、通常、尿素、アルキル尿素、エチレン尿素、プロピレン尿素、チオ尿素、グアニジン酸塩、ハロゲン価テトラアルキルアンモニウム等が使用される。また、公知のものも使用でき、染色ノート４２６頁〜４２９頁記載の染料固着剤などが挙げられる。糊溶液の全固形分に対するヒドロトロピー剤の含有量は０．０１質量％〜２０質量％であることが好ましい。
糊溶液は、必要に応じて、ｐＨ調整剤、水性（水溶性）金属塩、撥水剤、界面活性剤、マイグレーション防止剤、ミクロポーラス形成剤等を更に含有していてもよい。
前処理においては、絞り率５％〜１５０％、好ましくは１０％〜１３０％の範囲で糊溶液をパッティングすることが好ましい。
前処理において、上記各糊溶液を布帛に含有させる方法は、特に制限されないが、通常行われる浸漬法、パッド法、コーティング法、スクリーン法、スプレー法、転写法、インクジェット法等を挙げることができる。
【０１６９】
次に、前処理した布帛に、インクジェット用インクを用いて、印捺する。
インクジェット捺染用インクは、親油性媒体や水性媒体中に上記一般式（１）〜（３）のいずれかで表される化合物を溶解及び／又は分散させることによって作製することができる。好ましくは、水性媒体を用いたインクである。そのため、インク適正、捺染適正、画像堅牢性を付与する目的で、インクジェット捺染インクは、染料以外に、溶媒、界面活性剤を含有することができる。
溶媒としては、用いられる一般式（１）〜（３）のいずれかで表される化合物における置換基の種類、着色組成物を製造するために用いる溶媒成分の種類、及び染色する布帛の種類等により決められるが、好ましくは、水性媒体、更に好ましくは、水、又は水溶性有機溶媒が用いられる。溶媒としては、親油性溶媒や水溶性溶媒を用いて、それらの中に、上記一般式（１）〜（３）のいずれかで表される化合物を溶解及び／又は分散させることによって作製することができる。
本発明のインクジェット捺染用インクが含有し得る有機溶媒は、水性有機溶媒であることが好ましく、例えば、ジエチレングリコール、グリセリン等の多価アルコール類のほか、アミン類、一価アルコール類、多価アルコールのアルキルエーテル類等が挙げられる。また、特開２００２−３７１０７９号公報の段落［００７６］に記載の水混和性有機溶剤の例示として挙げられる各化合物が好適である。
【０１７０】
本発明のインクジェット捺染用インク中の有機溶媒の含有量は、インクジェット捺染用インクの全質量に対して、１０質量％以上６０質量％以下であることが好ましい。
界面活性剤としては、陽イオン性、陰イオン性、両性、非イオン性のいずれの界面活性剤も用いることができる。また、本発明のインクジェット捺染用インクは、必要に応じてその他の添加剤を、本発明の効果を害しない範囲内において含有することができる。
一般式（１）〜（３）のいずれかで表される化合物を水性媒体に分散させる場合は、特開２０１４-５４６２公報〔０２３２〕〜〔０２３３〕記載の方法で分散できる。
本発明のインクジェット捺染用インクは、粘度が３０ｍＰａ・ｓ以下であるのが好ましい。また、その表面張力は２５ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【０１７１】
インクジェット方法により印捺した布帛は、乾燥後、他の捺染方法と同様に、発色工程、洗浄工程、乾燥工程を経て、捺染物を得る。発色工程〜乾燥工程の好ましい方法は、スクリーン捺染等と同様である。
【０１７２】
本発明で用いる布帛は、必要に応じて、予め処理されたものを使用してもよい。処理は、インクジェット捺染方法においては、糊剤を布帛に付着する前に行ってもよいし、後に行ってもよい。また、染色前に付着する糊溶液に前処理剤を添加して使用してもよい。
【０１７３】
本発明の着色組成物を用いてインクジェット捺染する方法としては、インクジェット装置を用いて布帛にインクを吐出する工程が含まれていれば限定しない。
【０１７４】
〔着色化合物の形態と染色する布帛〕
本発明の着色組成物が含有する上記一般式（１）〜（３）のいずれかで表される化合物は、染料として布帛を染色することができる。一般式（１）〜（３）のいずれかで表される化合物の置換基の種類を変更することによって、様々な種類の染料を用意することができる。一般式（１）〜（３）のいずれかで表される化合物が、スルホ基又はカルボキシル基といった酸性基を少なくとも１つ含有する場合は、酸性染料として、絹や羊毛などの蛋白繊維、６ナイロン、６６ナイロンなどのポリアミド繊維を染めることができる。一般式（１）〜（３）のいずれかで表される化合物が、水に不溶な油溶性化合物である場合には、分散染料として、ポリエステルなどの疎水性繊維を染めることが一般的だが、アクリル繊維やポリアミド繊維も染めることができる。一般式（１）〜（３）のいずれかで表される化合物が、アミノ基などの塩基性基を少なくとも１つ含有する場合には、カチオン染料として、アクリル繊維を染めることができる。一般式（１）〜（３）で表される化合物が、繊維と反応する基を少なくとも１つ含有する場合には、反応染料として、綿などのセルロース繊維やポリアミド繊維を染めることができる。繊維と反応する基としては、具体的には、クロロトリアジニル基、クロロピリミジル基、ビニルスルホニル基、クロロエチルスルホニル基、スルファトエチルスルホニル基、チオスルファトエチルスルホニル基が挙げられる。
【０１７５】
布帛としては、１種類の繊維からなる布帛を使用してもよいし、２種類以上の繊維からなる複合繊維を使用してもよい。
【０１７６】
一般式（１）〜（３）で表される化合物は、酸性染料であることが好ましく、特に、ポリアミド繊維を染色したときに、顕著に、高い染着性を有し、かつ、耐光性、耐水性、耐塩素性などの諸性能が改善できる。
【０１７７】
被染布としての好ましいポリアミド繊維としては、ポリアミド繊維を含有していればよく、ポリアミド単独からなる布帛でもよいし、複合繊維からなる布帛でもよい。複合繊維としては、特開２００８−２０２２１０、特開２００６−３２２１３１、特開２００７−１００２７０公報など記載の繊維が挙げられる。ポリアミド繊維の中でも、６ナイロン、６６ナイロンを含む繊維であることが好ましい。
使用される繊維としては、布帛が好ましいが、糸を染めても同様の効果が得られる。
【実施例】
【０１７８】
以下、実施例を示して本発明を詳しく説明するが、本発明はこれらの実施例に何ら限定されるものではない。例中の「％」及び「部」は、特記ない限り、質量％及び質量部である。【０１７９】
〔合成例〕
〔化合物００１−１〜００１−４の合成スキーム〕【０１８０】
【化３８】
2017110388.tif 000077
【０１８１】
〔化合物００１−１〕
２，４，６−トリメチルアニリン  ３０ｇ、ブルモベンゼン３４ｇ、ｔ−ブトキシナトリウム３９ｇ、トルエン２００ｍＬをフラスコに加えて、窒素気流下で充分撹拌した。ここに、酢酸パラジウムを２１０ｍｇ、1,3-ビス(2,6-ジイソプロピルフェニル)イミダゾリウムクロリドを９００ｍｇ加えて、反応液を１１０℃に上げて、６時間撹拌した。得られた反応液を冷却後に水に注ぎ、酢酸エチルで抽出した。得られた有機相を硫酸ナトリウムで乾燥して、濃縮後にシリカゲルカラムクロマトグラフィー（展開液：酢酸エチル／ヘキサン＝１／２０）にて精製し、中間体００１を２１ｇ得た。
中間体００１を１６ｇ、２−ホルミルベンゼンスルホン酸ナトリウム１０ｇ、メタンスルホン酸８０ｍＬをフラスコにいれ１００℃で６時間撹拌した。得られた反応液を５００ｍＬの氷水に注ぎ、得られた中間体００１−１の結晶をろ取した（１６ｇ）。
中間体００１−１を８ｇ、クロラニルを３．４ｇ、メタノール２００ｍＬを混合し、５０℃で12時間撹拌した。室温に戻して得られた結晶をろ取した。この結晶をカラムクロマトグラフィー（充填剤：セファデックス、展開液：メタノール）で精製し、得られたフラクションを減圧濃縮することで中間体００１−２を５ｇ得た。
中間体００１−２を５ｇ、硫酸を５０ｍＬに加えて、冷却しながら撹拌した。反応液を50度で5時間反応させた後、氷１６０ｇに注いで析出した結晶をろ取した。結晶をメタノールに溶かして、酢酸ナトリウムにて中和した後、カラムクロマトグラフィー（充填剤：セファデックス、展開液：メタノール）にて精製することで、化合物００１−１を３ｇ得た。化合物００１−１の溶液吸収スペクトル：λｍａｘ＝６０５ｎｍ、ε＝１０１０００
Ｌ・ｍｏｌ−１・ｃｍ−１（水溶液）。ＥＳＩ−マススペクトル（Ｐｏｓｉ）：６６９．２（Ｍ−Ｎａ＋２Ｈ）。【０１８２】
〔化合物００１−２〕
中間体００１−２を５ｇ、硫酸を２０ｍＬに加えて、冷却しながら撹拌した。ここへ２５％発煙硫酸１０ｍＬを内温が５℃を超えぬよう４時間かけて滴下した。滴下後30分間、内温を5度以下で撹拌した後、反応液を氷２００ｇに注いで析出した結晶をろ取した。得られたウェット結晶を２００ｍＬのメタノールに溶かして、１Ｍナトリウムメトキシド／メタノール溶液にてｐＨ６まで中和した後、カラムクロマトグラフィー（充填剤：セファデックス、展開液：メタノール）にて精製することで、化合物００１−２を２．５ｇ得た。化合物００１−２の溶液吸収スペクトル：λｍａｘ＝６０５ｎｍ、ε＝１１７０００  Ｌ・ｍｏｌ−１・ｃｍ−１（水溶液）。ＥＳＩ−マススペクトル（Ｐｏｓｉ）：７４９．２（Ｍ−２Ｎａ＋３Ｈ）。【０１８３】
〔化合物００１−３〕
１５ｇの硫酸に１５ｇの２５ｗｔ％の発煙硫酸を滴下した。この溶液を氷水で冷却し、ここに中間体００１−２を３ｇ添加した。５℃以下で３時間撹拌した後、反応液を氷１５０ｇに注いだ。得られた溶液を５０％水酸化ナトリウム水溶液でｐH５．５まで中和した後、溶媒をエバポレーターで留去した。得られた結晶をメタノールに分散し、不溶分をろ過で除き、得られた溶液をカラムクロマトグラフィー（充填剤：セファデックス、展開液：メタノール）にて精製することで、化合物００１−３を０．８ｇ得た。
化合物００１−３の溶液吸収スペクトル：λｍａｘ＝６０３ｎｍ、ε＝８７２００  Ｌ・ｍｏｌ−１・ｃｍ−１（水溶液）。ＥＳＩ−マススペクトル（Ｐｏｓｉ）：８２９．１（Ｍ−３Ｎａ＋４Ｈ）。【０１８４】
〔化合物００１−４〕
中間体００１−２を３ｇ、硫酸を１５ｇに加えて、冷却しながら撹拌した。ここへ２５％発煙硫酸１５ｇを内温が５℃を超えぬよう４時間かけて滴下した。滴下後１時間、内温を４０度で撹拌した後、反応液を氷１５０ｇに注いで析出した結晶をろ取した。得られたウェット結晶を２００ｍＬのメタノールに溶かして、１Ｍナトリウムメトキシド／メタノール溶液にてｐＨ６まで中和した後、カラムクロマトグラフィー（充填剤：セファデックス、展開液：メタノール）にて精製することで、化合物００１−４を１ｇ得た。化合物００１−４の溶液吸収スペクトル：λｍａｘ＝６００ｎｍ、ε＝６９１００  Ｌ・ｍｏｌ−１・ｃｍ−１（水溶液）。ＥＳＩ−マススペクトル（Ｐｏｓｉ）：９０９．１（Ｍ−４Ｎａ＋５Ｈ）。【０１８５】
〔化合物００１−５〜００１−７の合成スキーム〕【０１８６】
【化３９】
2017110388.tif 000078
【０１８７】
〔化合物００１−５〕
中間体００１を１６ｇ、４−ホルミルベンゼン−１，３−ジスルホン酸二ナトリウム１２ｇ、メタンスルホン酸８０ｍＬをフラスコにいれ１００℃で６時間撹拌した。得られた反応液を５００ｍＬの氷水に注ぎ、得られた中間体００１−３の結晶をろ取した（２０ｇ）。
中間体００１−３を９ｇ、クロラニルを３．４ｇ、メタノール２００ｍＬを混合し、５０℃で３日間撹拌した。室温に戻して得られた結晶をろ取した。この結晶をカラムクロマトグラフィー（充填剤：セファデックス、展開液：メタノール）で精製し、得られたフラクションを水に溶解させ、１Ｍの水酸化ナトリウムでｐＨ＝７まで中和した後に、減圧濃縮することで化合物００１−５を５ｇ得た。化合物００１−５の溶液吸収スペクトル：λｍａｘ＝６１４ｎｍ、ε＝８６１００  Ｌ・ｍｏｌ−１・ｃｍ−１（水溶液）。ＥＳＩ−マススペクトル（Ｐｏｓｉ）：６６９．２（Ｍ−Ｎａ＋２Ｈ）。【０１８８】
〔化合物００１−６〕
化合物００１−５を５ｇ、硫酸を２０ｍＬに加えて、冷却しながら撹拌した。反応液を50度で5時間反応させた後、氷２００ｇに注いで析出した結晶をろ取した。得られたウェット結晶をメタノールに溶かして、１Ｍナトリウムメトキシド／メタノール溶液にてｐＨ６まで中和した後、カラムクロマトグラフィー（充填剤：セファデックス、展開液：メタノール）にて精製することで、化合物００１−６を３ｇ得た。化合物００１−６の溶液吸収スペクトル：λｍａｘ＝６１３ｎｍ、ε＝９１３００  Ｌ・ｍｏｌ−１・ｃｍ−１（水溶液）。ＥＳＩ−マススペクトル（Ｐｏｓｉ）：７４９．２（Ｍ−２Ｎａ＋３Ｈ）。【０１８９】
〔化合物００１−７〕
化合物００１−５を５ｇ、硫酸を２０ｍＬに加えて、冷却しながら撹拌した。ここへ２５％発煙硫酸１５ｍＬを内温が５℃を超えぬよう４時間かけて滴下した。滴下後30分間、内温を5度以下で撹拌した後、反応液を氷２００ｇに注いで析出した結晶をろ取した。得られたウェット結晶を２００ｍＬのメタノールに溶かして、１Ｍナトリウムメトキシド／メタノール溶液にてｐＨ６まで中和した後、カラムクロマトグラフィー（充填剤：セファデックス、展開液：メタノール）にて精製することで、化合物００１−７を２．５ｇ得た。化合物００１−７の溶液吸収スペクトル：λｍａｘ＝６１３ｎｍ、ε＝８７５００  Ｌ・ｍｏｌ−１・ｃｍ−１（水溶液）。ＥＳＩ−マススペクトル（Ｐｏｓｉ）：８２９．１（Ｍ−３Ｎａ＋４Ｈ）。【０１９０】
〔化合物００２−１〜００２−２の合成スキーム〕【０１９１】
【化４０】
2017110388.tif 000079
【０１９２】
〔化合物００２−１〕
中間体００１の合成において、ブロモベンゼンを２―ブロモトルエンに換えて、同様の合成方法で、中間体００２を得た。
中間体００１−１の合成において、中間体００１−１を中間体００２−１に換えて、同様の合成方法で、中間体００２−２を得た。
化合物００１−１の合成において、中間体００１−２を中間体００２−２に換えて、同様の合成方法で、化合物００２−１を４ｇ得た。化合物００２−１の溶液吸収スペクトル：λｍａｘ＝６１１ｎｍ、ε＝９９０００  Ｌ・ｍｏｌ−１・ｃｍ−１（水溶液）。ＥＳＩ−マススペクトル（Ｐｏｓｉ）：６９７．２（Ｍ−Ｎａ＋２Ｈ）。【０１９３】
〔化合物００２−２〕
化合物００１−２の合成において、中間体００１−２を中間体００２−２に換えて、同様の合成方法で、化合物００２−２を２．２ｇ得た。化合物００２−２の溶液吸収スペクトル：λｍａｘ＝６１０ｎｍ、ε＝９８７００  Ｌ・ｍｏｌ−１・ｃｍ−１（水溶液）。ＥＳＩ−マススペクトル（Ｐｏｓｉ）：７７７．２（Ｍ−２Ｎａ＋３Ｈ）。【０１９４】
〔化合物００４−１〜００４−２の合成スキーム〕【０１９５】
【化４１】
2017110388.tif 000080
【０１９６】
〔化合物００４−１〕
中間体００１の合成において、ブロモベンゼンを２−ブロモクメンへ換えて、同様の合成方法で、中間体００４を得た。
中間体００１−１の合成において、中間体００１−１を中間体００４−１に換えて、同様の合成方法で、中間体００４−２を得た。
化合物００１−１の合成において、中間体００１−２を中間体００４−２に換えて、同様の合成方法で、化合物００４−１を２．１ｇ得た。化合物００４−１の溶液吸収スペクトル：λｍａｘ＝６１４ｎｍ、ε＝１０１０００  Ｌ・ｍｏｌ−１・ｃｍ−１（水溶液）。ＥＳＩ−マススペクトル（Ｐｏｓｉ）：７５３．３（Ｍ−Ｎａ＋２Ｈ）。【０１９７】
〔化合物００４−２〕
化合物００１−２の合成において、中間体００１−２を中間体００４−２に換えて、同様の合成方法で、化合物００４−２を１．８ｇ得た。化合物００４−２の溶液吸収スペクトル：λｍａｘ＝６１４ｎｍ、ε＝１１９０００  Ｌ・ｍｏｌ−１・ｃｍ−１（水溶液）。ＥＳＩ−マススペクトル（Ｐｏｓｉ）：８３３．３（Ｍ−２Ｎａ＋３Ｈ）。【０１９８】
〔化合物００５−１〜００５−２の合成スキーム〕【０１９９】
【化４２】
2017110388.tif 000081
【０２００】
〔化合物００５−１〕
中間体００１の合成において、ブロモベンゼンをブロモメシチレンへ、２，４，６−トリメチルアニリンを２−ｔ−ブチルアニリンへ換えて、同様の合成方法で、中間体００５を得た。
中間体００１−１の合成において、中間体００１−１を中間体００５−１に換えて、同様の合成方法で、中間体００５−２を得た。
化合物００１−１の合成において、中間体００１−２を中間体００５−２に換えて、同様の合成方法で、化合物００５−１を０．９ｇ得た。化合物００５−１の溶液吸収スペクトル：λｍａｘ＝６１３ｎｍ、ε＝１０３０００  Ｌ・ｍｏｌ−１・ｃｍ−１（水溶液）。ＥＳＩ−マススペクトル（Ｐｏｓｉ）：７８１．３（Ｍ−Ｎａ＋２Ｈ）。【０２０１】
〔化合物００５−２〕
化合物００１−２の合成において、中間体００１−２を中間体００５−２に換えて、同様の合成方法で、化合物００５−２を１．７ｇ得た。化合物００５−２の溶液吸収スペクトル：λｍａｘ＝６１４ｎｍ、ε＝１１４０００  Ｌ・ｍｏｌ−１・ｃｍ−１（水溶液）。ＥＳＩ−マススペクトル（Ｐｏｓｉ）：８６１．３（Ｍ−２Ｎａ＋３Ｈ）。【０２０２】
〔化合物０３９−１〜０３９−２の合成スキーム〕【０２０３】
【化４３】
2017110388.tif 000082
【０２０４】
【化４４】
2017110388.tif 000083
【０２０５】
〔化合物０３９−１〕
４，４’−ジアミノスチルベンー２，２’−ジスルホン酸ナトリウム塩を３７.０ｇ、水４５０ｇ、炭酸ナトリウム１２．７ｇをフラスコにいれた後、３０℃以下で３０分かけて過マンガン酸カリウム１６ｇを加えた。その後、２５℃にて２時間撹拌した後、得られた反応液をろ過した後、得られたろ液を濃縮することで中間体０３９の結晶を５０ｇ得た。
中間体００４を１１ｇ、中間体０３９を５．０ｇ、メタンスルホン酸６８ｇをフラスコにいれ１００℃で４時間撹拌した。得られた反応液を１．１Ｌの氷水に注ぎ、得られた中間体０３９−１の結晶を１０ｇろ取した。
中間体０３９−１を１０ｇ、クロラニルを５．２ｇ、メタノール５０ｇを混合し、４時間撹拌した。得られた結晶をろ取して、中間体０３９−２の粗体を得た。中間体０３９−２の粗体をメタノールに溶かしてろ過した後、ろ液をカラムクロマトグラフィー（充填剤：セファデックス、展開液：メタノール）にて精製することで、化合物０３９−２を８．０ｇ得た。
中間体０３９−２を８．０ｇ、濃硫酸８０ｍｌを混合した後、５０℃にて５時間撹拌した後、得られた反応液を氷水４００ｇに注ぎ、得られた化合物０３９−１の結晶を得た。化合物０３９−１の粗体をメタノールに溶かして２８％ＮａＯＭｅ／メタノール溶液にてｐＨ６まで中和した後、カラムクロマトグラフィー（充填剤：セファデックス、展開液：メタノール）にて精製することで、化合物０３９−１を６．１ｇ得た。化合物０３９−１の溶液吸収スペクトル：λｍａｘ＝６０２ｎｍ、ε＝１２００００  Ｌ・ｍｏｌ−１・ｃｍ−１（水溶液）。ＥＳＩ−マススペクトル（Ｐｏｓｉ）：７６７．３（Ｍ−Ｎａ＋２Ｈ）。【０２０６】
〔化合物０３９−２〕
中間体０３９−２を８．０ｇ、濃硫酸８０ｍｌを混合した後、０℃にて２時間かけて２５％発煙硫酸５６．０ｍｌを滴下した。その後、０℃にて１時間撹拌した後、得られた反応液を氷水４５０ｇに注ぎ、得られた化合物０３９−２の結晶を得た。化合物０３９−２の粗体をメタノールに溶かして２８％ＮａＯＭｅ／メタノール溶液にてｐＨ６まで中和した後、カラムクロマトグラフィー（充填剤：セファデックス、展開液：メタノール）にて精製することで、化合物０３９−２を７．５ｇ得た。化合物０３９−２の溶液吸収スペクトル：λｍａｘ＝６０３ｎｍ、ε＝１１７０００  Ｌ・ｍｏｌ−１・ｃｍ−１（水溶液）。ＥＳＩ−マススペクトル（Ｐｏｓｉ）：８４７．４（Ｍ−２Ｎａ＋３Ｈ）。【０２０７】
〔化合物０４０−１〜０４０−２の合成スキーム〕【０２０８】
【化４５】
2017110388.tif 000084
【０２０９】
【化４６】
2017110388.tif 000085
【０２１０】
〔化合物０４０−１〕
４，４’−ジニトロスチルベンー２，２’−ジスルホン酸ナトリウム塩を２０ｇ、水７５ｇ、炭酸ナトリウム４．９ｇをフラスコにいれた後、０℃で１時間かけて過マンガン酸カリウム水溶液（過マンガン酸カリウム８．０ｇ、水２２５ｇ）を加えた。その後、０℃にて１時間撹拌した後、得られた反応液をろ過した。次に、得られたろ液にイソプロピルアルコール３００ｇを添加し、１日放置した。析出した結晶をろ過で除去した後、得られたろ液を濃縮することで中間体０４０の結晶を１３ｇ得た。
中間体００４を１４ｇ、中間体０４０を７.０ｇ、メタンスルホン酸８４ｇをフラスコにいれ１００℃で４時間撹拌した。得られた反応液を１．４Ｌの氷水に注ぎ、得られた中間体０４０−１の結晶を１８ｇろ取した。中間体０４０−１を１８ｇ、クロラニルを９．０ｇ、メタノール９０ｇを混合し、４時間撹拌した。得られた結晶をろ取して、中間体０４０−２の粗体を得た。中間体０４０−２の粗体をメタノールに溶かしてろ過した後、ろ液をカラムクロマトグラフィー（充填剤：セファデックス、展開液：メタノール）にて精製することで、中間体０４０−２を１３ｇ得た。
中間体０４０−２を５．０ｇ、濃硫酸８０ｍｌを混合した後、５０℃にて５時間撹拌した後、得られた反応液を氷水４００ｇに注ぎ、得られた化合物０４０−１の結晶を得た。化合物０４０−１の粗体をメタノールに溶かして２８％ＮａＯＭｅ／メタノール溶液にてｐＨ６まで中和した後、カラムクロマトグラフィー（充填剤：セファデックス、展開液：メタノール）にて精製することで、化合物０４０−１を４．２ｇ得た。化合物０４０−１の溶液吸収スペクトル：λｍａｘ＝６２８ｎｍ、ε＝１１６０００  Ｌ・ｍｏｌ−１・ｃｍ−１（水溶液）。ＥＳＩ−マススペクトル（Ｐｏｓｉ）：７９７．３（Ｍ−Ｎａ＋２Ｈ）。【０２１１】
〔化合物０４０−２〕
中間体０４０−２を９．０ｇ、濃硫酸９０ｍｌを混合した後、０℃にて２時間かけて２５％発煙硫酸６３．０ｍｌを滴下した。その後、０℃にて１時間撹拌した後、得られた反応液を氷水５０４ｇに注ぎ、得られた化合物０４０−２の結晶を得た。化合物０４０−２の粗体をメタノールに溶かして２８％ＮａＯＭｅ溶液にて中和した後、カラムクロマトグラフィー（充填剤：セファデックス、展開液：メタノール）にて精製することで、化合物０４０−２を８．５ｇ得た。化合物０４０−２の溶液吸収スペクトル：λｍａｘ＝６２９ｎｍ、ε＝１１２５００  Ｌ・ｍｏｌ−１・ｃｍ−１（水溶液）。ＥＳＩ−マススペクトル（Ｐｏｓｉ）：８７８．２（Ｍ−２Ｎａ＋３Ｈ）。【０２１２】
〔化合物０５０−１〜０５０−２の合成スキーム〕【０２１３】
【化４７】
2017110388.tif 000086
【０２１４】
【化４８】
2017110388.tif 000087
【０２１５】
〔化合物０５０−１〕
化合物０３９−１を１．０ｇ、Ｎ−メチルピロリドン３０ｍｌを混合した後、２５℃にて３，５−ジｔ−ブチル−４−ヒドロキシベンゾイルクロライド６．１ｇを加えた。その後、２５℃にて２時間撹拌した後、得られた反応液をトルエン１５０ｍｌに注ぎ、得られた化合物０５０−１の粗結晶を得た。化合物０５０−１の粗結晶をメタノールに溶かして２８％ＮａＯＭｅ／ＭｅＯＨ溶液にてｐＨ６まで中和した後、カラムクロマトグラフィー（充填剤：セファデックス、展開液：メタノール）にて精製することで、化合物０５０−１を１．１ｇ得た。化合物０５０−１の溶液吸収スペクトル：λｍａｘ＝６１５ｎｍ。ＥＳＩ−マススペクトル（Ｐｏｓｉ）：１０００．５（Ｍ−Ｎａ＋２Ｈ）。【０２１６】
〔化合物０５０−２〕
化合物０３９−２を１．０ｇ、Ｎ−メチルピロリドン３０ｍｌを混合した後、２５℃にて３，５−ジｔ−ブチル−４−ヒドロキシベンゾイルクロライド６．１ｇを加えた。その後、２５℃にて２時間撹拌した後、得られた反応液をトルエン１５０ｍｌに注ぎ、得られた化合物０５０−２の結晶を得た。化合物０５０−２の粗体をメタノールに溶かして２８％ＮａＯＭｅ／ＭｅＯＨ溶液にてｐＨ６まで中和した後、カラムクロマトグラフィー（充填剤：セファデックス、展開液：メタノール）にて精製することで、化合物０５０−２を１．０ｇ得た。化合物０５０−２の溶液吸収スペクトル：λｍａｘ＝６１６ｎｍ。ＥＳＩ−マススペクトル（Ｐｏｓｉ）：１０８０．４（Ｍ−２Ｎａ＋３Ｈ）。【０２１７】
〔化合物０５１−１〜０５１−２の合成スキーム〕【０２１８】
【化４９】
2017110388.tif 000088
【０２１９】
【化５０】
2017110388.tif 000089
【０２２０】
〔化合物０５１−１〕
化合物０３９−１を１．０ｇ、Ｎ−メチルピロリドン３０ｍｌを混合した後、２５℃にて３，５−パラニトロベンゾイルクロライド２．１ｇを加えた。その後、２５℃にて２時間撹拌した後、得られた反応液をトルエン１５０ｍｌに注ぎ、得られた化合物０５１−１の粗結晶を得た。化合物０５１−１の粗結晶をメタノールに溶かして２８％ＮａＯＭｅ／ＭｅＯＨ溶液にてｐＨ６まで中和した後、カラムクロマトグラフィー（充填剤：セファデックス、展開液：メタノール）にて精製することで、化合物０５１−１を０．９ｇ得た。化合物０５１−１の溶液吸収スペクトル：λｍａｘ＝６１５ｎｍ。ＥＳＩ−マススペクトル（Ｐｏｓｉ）：９１７．３（Ｍ−Ｎａ＋２Ｈ）。【０２２１】
〔化合物０５１−２〕
化合物０３９−２を１．０ｇ、Ｎ−メチルピロリドン３０ｍｌを混合した後、２５℃にてパラニトロベンゾイルクロライド２．１ｇを加えた。その後、２５℃にて２時間撹拌した後、得られた反応液をトルエン１５０ｍｌに注ぎ、得られた化合物０５１−２の結晶を得た。化合物０５１−２の粗体をメタノールに溶かして２８％ＮａＯＭｅ／ＭｅＯＨ溶液にてｐＨ６まで中和した後、カラムクロマトグラフィー（充填剤：セファデックス、展開液：メタノール）にて精製することで、化合物０５１−２を０．８ｇ得た。化合物０５１−２の溶液吸収スペクトル：λｍａｘ＝６１７ｎｍ。ＥＳＩ−マススペクトル（Ｐｏｓｉ）：９９７．３（Ｍ−２Ｎａ＋３Ｈ）。【０２２２】
〔インク貯蔵安定性評価〕
＜インク１及びインク２の調製＞
下記組成からなるインク組成物を、３０〜４０℃で加熱しながら１時間撹拌した。得られた液を平均孔径０．５μｍのミクロフィルターで減圧濾過しインクジェット捺染用インク液（インク１及びインク２）を調製した。
＜インク１＞
・表１に示す染料又は染料混合物                        １５質量％
・水                                                  ８５質量％
＜インク２＞
・表１に示す染料又は染料混合物                          ７質量％
・グリセリン〔和光純薬社製〕（水性有機溶媒）          １７質量％
・ジエチレングリコール〔和光純薬社製〕（水性有機溶媒）  ３質量％
・オルフィンＥ１０１０〔日信化学社製〕（アセチレングリコール系界面活性剤）                                                  １質量％
・水                                                  ７２質量％【０２２３】
上記で作成したインク１およびインク２を−２０℃で２週間保存した後に、インク１およびインク２に関して析出物の観察および粘度の測定、およびインク２に関してはインクジェットプリンター（ディマティックス社製、ＤＭＰ−２３８１）に、インク２をセットした上、普通紙にベタ画像を印画した。析出物が少なく、粘度の上昇が少なく、印画物のかすれが少ないものがインク貯蔵安定性が良い。【０２２４】
〔評価方法〕【０２２５】
１．析出物
Ａ：析出物が観測されない
Ｂ：析出物が観測された【０２２６】
２．インクの粘度
Ａ：保存後の粘度上昇が、保存前の粘度の１０％未満である。
Ｂ：保存後の粘度上昇が、保存前の粘度の１０％以上、２５％未満である。
Ｃ：保存後の粘度上昇が、保存前の粘度の２５％以上である。【０２２７】
３．印画物のかすれ
Ａ：印画像にかすれがない。
Ｂ：印画像にかすれが観測される。
Ｃ：印画できない。【０２２８】
【化５１】
2017110388.tif 000090
【０２２９】
【表１】
2017110388.tif 000091
【０２３０】
〔インクジェット捺染評価〕
インクジェット捺染においては、特開２０１３−２０９７８６号公報記載の方法に準じて行った。
＜前処理工程＞
布帛であるナイロン６ジャージについて、以下に示す成分を混合して前処理剤Ａを調製した。得られた前処理剤Ａを用い、布帛を絞り率９０％としてパッティングして、自然乾燥させ、処理済み布帛を得た。
（前処理剤Ａ）
・糊剤：グアーガム〔日晶株式会社製、ＭＥＹＰＲＯ  ＧＵＭ  ＮＰ〕
２ｇ
・ヒドロトロピー剤：尿素〔和光純薬社製〕                      ５ｇ
・ｐＨ調整剤：硫酸アンモニウム〔和光純薬社製〕                ４ｇ
・水                                                        ８９ｇ
＜印捺工程＞
次いで、下記組成からなるインク組成物を、３０〜４０℃で加熱しながら１時間撹拌した。得られた液を平均孔径０．５μｍのミクロフィルターで減圧濾過しインクジェット用インク液（インク３）を調製した。
・表２に示す染料又は染料混合物                          ３質量％
・グリセリン〔和光純薬社製〕（水性有機溶媒）          １５質量％
・ジエチレングリコール〔和光純薬社製〕（水性有機溶媒）  ５質量％
・オルフィンＥ１０１０〔日信化学社製〕（アセチレングリコール系界面活性剤）                                                  １質量％
・水                                                  ７６質量％
インクジェットプリンター（ディマティックス社製、ＤＭＰ−２３８１）に、得られた各インクジェット用インク液をセットした上、得られた前処理済み布帛にベタ画像を印捺した。
＜後処理工程＞
印捺した布帛を乾燥した後、スチーム工程にて飽和蒸気中、１００℃で、２０分間スチームをかけ、染料を布帛の繊維に固着させた。その後、布帛を冷水で１０分、６０℃の温水で５分洗った後、自然乾燥した。染色した布帛は、色落ちすることなく、高濃度のシアン色に染まった染色物が得られた。
染色した布帛について、分光濃度計（Ｘ−ｒｉｔｅ社製、「Ｘ−ｒｉｔｅ９３８」）を使用し、濃度フィルタ（ＩＳＯステータスＴ）、濃度白色基準（絶対白色基準）、偏光フィルタなし、視野角２°の条件で、ＣＭＹＫ濃度測定を行い、Ｃ（Ｃｙａｎ）の反射濃度をＯＤ−Ｃｙａｎとして、測色した。【０２３１】
〔耐光性評価方法〕
作製された染色サンプルに、「ＪＩＳ  Ｌ０８４２紫外線カーボンアーク灯光に対する染色堅ろう度試験方法」の第三露光法に基づき、耐光性試験を行った。結果を下表に示す。【０２３２】
〔色相〕
染色布の色相を目視で判定した。【０２３３】
【表２】
2017110388.tif 000092
【０２３４】
布帛として、ナイロン６ジャージの代わりに、ナイロン６６ジャージやナイロン６タフタを用いても、同様の耐光性の結果を得た。
【産業上の利用可能性】
【０２３５】
本発明の着色組成物は、耐光性に優れ、かつ貯蔵安定性に優れたものとなる。また、上記着色組成物を含有するインクジェット用インク、及び捺染方法を提供することができる。【０２３６】
本発明を詳細にまた特定の実施態様を参照して説明したが、本発明の精神と範囲を逸脱することなく様々な変更や修正を加えることができることは当業者にとって明らかである。
本出願は、２０１５年１２月２５日出願の日本特許出願（特願２０１５−２５５２６１）に基づくものであり、その内容はここに参照として取り込まれる。
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
下記一般式（１）〜（３）のいずれかで表される化合物Ａと、前記化合物Ａのいずれか１つの水素原子がイオン性親水性基に置き換わった化合物Ｂと、を含有する着色組成物であって、前記化合物Ａと前記化合物Ｂの含有質量比が９９．９９：０．０１から０．０１：９９．９９である着色組成物。
【化１】
2017110388.tif 000098
一般式（１）中、Ｒ１０１及びＲ１０３は各々独立に水素原子、アルキル基、アリール基又はヘテロ環基を表す。Ｒ１０２及びＲ１０４は各々独立にアルキル基、アリール基又はヘテロ環基を表す。Ｒ１０５及びＲ１０６は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１０７、Ｒ１０８及びＲ１０９は各々独立に置換基を表し、Ｘ１０１、Ｘ１０２及びＸ１０３は各々独立にＣＨ又は窒素原子を表す。但し、Ｘ１０１〜Ｘ１０３のうち少なくとも１つはＣＨを表す。Ｘ１０１〜Ｘ１０３がＣＨを表す場合、水素原子が外れてＲ１０９が結合してもよい。ｎ１０１及びｎ１０２は各々独立に０〜４の整数を表し、ｎ１０３は０〜３の整数を表す。ｎ１０１、ｎ１０２及びｎ１０３がそれぞれ２以上の整数を表す場合は、複数のＲ１０７、Ｒ１０８及びＲ１０９は同じであっても異なっていてもよい。一般式（１）で表される化合物は少なくとも２つのイオン性親水性基を有する。一般式（１）で表される化合物は分子内に対アニオンを有する。
【化２】
2017110388.tif 000099
一般式（２）中、Ｒ１１１及びＲ１１３は各々独立に水素原子、アルキル基、アリール基又はヘテロ環基を表す。Ｒ１１２及びＲ１１４は各々独立にハロゲン原子、アルキル基、シアノ基、ニトロ基、アルコキシ基、アシルオキシ基、カルバモイルオキシ基、アルコキシカルボニルオキシ基、アミノ基、アシルアミノ基、アミノカルボニルアミノ基、アルコキシカルボニルアミノ基、スルファモイルアミノ基、アルキルスルホニルアミノ基、アルキルチオ基、スルファモイル基、アルキルスルフィニル基、アルキルスルホニル基、アシル基、アルコキシカルボニル基、カルバモイル基、イミド基又はスルホ基を表す。Ｒ１１５、Ｒ１１６、Ｒ１１７、Ｒ１１８及びＲ１１９は各々独立に置換基を表し、Ｘ１１１、Ｘ１１２及びＸ１１３は各々独立にＣＨ又は窒素原子を表す。但し、Ｘ１１１〜Ｘ１１３のうち少なくとも１つはＣＨを表す。Ｘ１１１〜Ｘ１１３がＣＨを表す場合、水素原子が外れてＲ１１７が結合してもよい。Ａｒ１１１及びＡｒ１１２は各々独立にベンゼン環、ナフタレン環、又はヘテロ環を表す。ｎ１１１及びｎ１１２は各々独立に０〜４の整数を表し、ｎ１１３は０〜５の整数を表し、ｎ１１４及びｎ１１５は各々独立に０以上の整数を表す。ｎ１１１、ｎ１１２、ｎ１１３、ｎ１１４及びｎ１１５がそれぞれ２以上の整数を表す場合は、複数のＲ１１５、Ｒ１１６、Ｒ１１７、Ｒ１１８及びＲ１１９は同じであっても異なっていてもよい。一般式（２）で表される化合物は少なくとも２つのイオン性親水性基を有する。一般式（２）で表される化合物は分子内に対アニオンを有する。
【化３】
2017110388.tif 000100
一般式（３）中、Ｌ１２１、Ｌ１２２、Ｌ１２３、Ｌ１２４及びＬ１２５は各々独立に２価の連結基を表し、Ｔ１２１、Ｔ１２２、Ｔ１２３、Ｔ１２４及びＴ１２５は各々独立に水素原子又は下記一般式（Ｔ−１）〜（Ｔ−８）のいずれかで表される基を表す。ただし、Ｔ１２１、Ｔ１２２、Ｔ１２３、Ｔ１２４及びＴ１２５のうち少なくとも１つは一般式（Ｔ−１）〜（Ｔ−８）のいずれかで表される基を表す。Ｒ１２１、Ｒ１２２及びＲ１２３は各々独立に置換基を表し、Ｘ１２１、Ｘ１２２及びＸ１２３は各々独立にＣＨ又は窒素原子を表す。但し、Ｘ１２１〜Ｘ１２３のうち少なくとも１つはＣＨを表す。Ｘ１２１〜Ｘ１２３がＣＨを表す場合、水素原子が外れてＲ１２３又は（Ｌ１２５）ｎ１２８−Ｔ１２５が結合してもよい。ｎ１２１及びｎ１２２は各々独立に０〜４の整数を表し、ｎ１２３は０〜５の整数を表す。ｎ１２４、ｎ１２５、ｎ１２６、ｎ１２７及びｎ１２Ｂは各々独立に０又は１を表す。ｎ１２１、ｎ１２２、及びｎ１２３がそれぞれ２以上の整数を表す場合は、複数のＲ１２１、Ｒ１２２及びＲ１２３は同じであっても異なっていてもよい。一般式（３）で表される化合物は少なくとも２つのイオン性親水性基を有する。一般式（３）で表される化合物は分子内に対アニオンを有する。
【化４】
2017110388.tif 000101
一般式（Ｔ−１）中、Ｒ２０１及びＲ２０２は各々独立にアルキル基を表す。Ｒ２０３は置換基を表す。ｐ１０１は０〜３の整数を表す。ｐ１０１が２以上の整数を表す場合は、複数のＲ２０３は同じであっても異なっていてもよい。
一般式（Ｔ−２）中、Ｒ２０４はアルキル基を表す。Ｒ２０５は水素原子又はアルキル基を表す。Ｒ２０６は置換基を表す。Ｌ２０１はｐ１０３価の連結基を表す。ｐ１０２は０〜２の整数を表し、ｐ１０３は２又は３を表す。ｐ１０２が２以上の整数を表す場合は、複数のＲ２０６は同じであっても異なっていてもよい。
一般式（Ｔ−３）中、Ｒ２０７はアルキル基を表す。Ｒ２０８は水素原子又はアルキル基を表す。Ｒ２０９及びＲ２１０は各々独立に水素原子、アルキル基又はアルコキシ基を表す。Ｒ２１１は置換基を表す。Ｘ２０１は酸素原子又はＮＲ２２０を表し、Ｒ２２０は水素原子又はアルキル基を表す。ただし、Ｘ２０１がＮＨを表す場合、Ｒ２０９及びＲ２１０の少なくとも一方はアルキル基又はアルコキシ基を表す。ｐ１０４は０〜２の整数を表す。ｐ１０４が２を表す場合は、複数のＲ２１１は同じであっても異なっていてもよい。
一般式（Ｔ−４）中、Ｘ２０２は酸素原子又は窒素原子を表す。Ｘ２０３は炭素原子又は窒素原子を表す。Ｘ２０２とＸ２０３間の結合は、Ｘ２０３が炭素原子を表す場合は二重結合、Ｘ２０３が窒素原子を表す場合は単結合を表す。Ｒ２１２はアリール基、ヘテロ環基、又はＸ２０２と連結してヘテロ環基を形成する基を表す。Ｒ２１３は置換基を表す。ｐ１０５は０〜４の整数を表す。ｐ１０５が２以上の整数を表す場合は、複数のＲ２１３は同じであっても異なっていてもよい。
一般式（Ｔ−５）中、Ａｒ２０１はアリール基又はヘテロ環基を表す。ｐ１０６は１〜３の整数を表す。
一般式（Ｔ−６）中、Ｒ２１４は水素原子、＊−Ｏ・、ヒドロキシル基、アルキル基又はアルコキシ基を表す。ただし、＊は結合手を表し、・は不対電子を表す。Ｒ２１５及びＲ２１６は各々独立にアルキル基を表す。Ｒ２１５及びＲ２１６は互いに結合して環を形成してもよい。
一般式（Ｔ−７）中、Ｒ２１７は置換基を表す。ｐ１０７は０〜５の整数を表す。ｐ１０７が２以上の整数を表す場合は、複数のＲ２１７は同じであっても異なっていてもよい。ｐ１０８は２又は３を表す。
一般式（Ｔ−８）中、Ｒ２１８及びＲ２１９は各々独立に水素原子、アルキル基、アリール基又はヘテロ環基を表す。Ｒ２１８及びＲ２１９は互いに結合して環を形成してもよい。
なお、一般式（Ｔ−１）〜（Ｔ−８）のいずれかで表される基は、各々、式中のいずれか１つの水素原子が外れてＬ１２１、Ｌ１２２、Ｌ１２３、Ｌ１２４又はＬ１２５と結合している。ただし、＊１を示してある水素原子は、外れて結合することはなく、一般式（Ｔ−６）におけるＲ２１４は水素原子のとき、外れて結合することはない。
【請求項２】
前記化合物Ａが前記一般式（３）で表される化合物であり、前記一般式（３）中の前記Ｔ１２１、Ｔ１２２、Ｔ１２３、Ｔ１２４及びＴ１２５のうち少なくとも１つが前記一般式（Ｔ−２）、（Ｔ−４）、（Ｔ−５）、（Ｔ−６）又は（Ｔ−８）で表される基を表す請求項１に記載の着色組成物。
【請求項３】
前記化合物Ａが前記一般式（３）で表される化合物であり、前記一般式（３）中の前記Ｔ１２１、Ｔ１２２、Ｔ１２３、Ｔ１２４及びＴ１２５のうち少なくとも１つが前記一般式（Ｔ−４）で表される基であり、前記一般式（Ｔ−４）が下記一般式（Ｔ−４１）、（Ｔ−４２）又は（Ｔ−４３）で表される請求項１又は２に記載の着色組成物。
【化５】
2017110388.tif 000102
一般式（Ｔ−４１）中、Ｒ４０１及びＲ４０２は各々独立に置換基を表す。ｐ４０１は０〜４の整数を表し、ｐ４０２は０〜５の整数を表す。ｐ４０１及びｐ４０２がそれぞれ２以上の整数を表す場合は、複数のＲ４０１及びＲ４０２は同じであっても異なっていてもよい。＊１を示してある水素原子は、外れて結合することはない。
一般式（Ｔ−４２）中、Ｒ４０３及びＲ４０４は各々独立に置換基を表す。ｐ４０３及びｐ４０４は各々独立に０〜４の整数を表す。ｐ４０３及びｐ４０４がそれぞれ２以上の整数を表す場合は、複数のＲ４０３及びＲ４０４は同じであっても異なっていてもよい。＊１を示してある水素原子は、外れて結合することはない。
一般式（Ｔ−４３）中、Ｒ４０５は置換基を表す。Ｒ４０６及びＲ４０７は各々独立にアリール基又はヘテロ環基を表す。ｐ４０５は０〜４の整数を表す。ｐ４０５が２以上の整数を表す場合は、複数のＲ４０５は同じであっても異なっていてもよい。＊１を示してある水素原子は、外れて結合することはない。
【請求項４】
前記化合物Ａが有するイオン性親水性基の数が２つ又は３つである請求項１〜３のいずれか１項に記載の着色組成物。
【請求項５】
前記化合物Ａと前記化合物Ｂの含有質量比が９９：１から１：９９である請求項１〜４のいずれか１項に記載の着色組成物。
【請求項６】
前記化合物Ａ及び前記化合物Ｂが有するイオン性親水性基がカルボキシル基及びスルホ基の少なくとも一方である請求項１〜５のいずれか１項に記載の着色組成物。
【請求項７】
一般式（１）中のＲ１０７及びＲ１０８、一般式（２）中のＲ１１５及びＲ１１６、一般式（３）中のＲ１２１及びＲ１２２が、窒素原子のオルト位に置換する２級又は３級アルキル基である、請求項１〜６のいずれか１項に記載の着色組成物。
【請求項８】
染色用である請求項１〜７のいずれか１項に記載の着色組成物。
【請求項９】
請求項１〜８のいずれか１項に記載の着色組成物を含有するインクジェット用インク。
【請求項１０】
下記（１）〜（４）の工程を含む捺染方法。
（１）  少なくとも高分子化合物及び水を含む液に対し、請求項８に記載の着色組成物を添加し、色糊を調製する工程
（２）  前記（１）の色糊を布帛に印捺する工程
（３）  印捺した布帛に蒸気をあてる工程
（４）  印捺した布帛を水洗し、水洗された布帛を乾燥する工程
【請求項１１】
下記（１１）〜（１４）の工程を含む捺染方法。
（１１）  少なくとも高分子化合物及び水を含む糊を布帛に付与する工程
（１２）  請求項９に記載のインクジェット用インクをインクジェット法により布帛に印捺する工程
（１３）  印捺した布帛に蒸気をあてる工程
（１４）  印捺した布帛を水洗し、水洗された布帛を乾燥する工程
【請求項１２】
前記布帛がポリアミドを含む布帛である請求項１０又は１１に記載の捺染方法。
【国際調査報告】
2017110388.tif 000103
2017110388.tif 000104
2017110388.tif 000105
2017110388.tif 000106
2017110388.tif 000107